(57)【要約】      （修正有）【課題】過大な電力消費によるバッテリー消耗を回避するシステム走査及び取得を行う技術を提供する。【解決手段】ワイヤレス通信システムにおいて、ユーザ機器（ＵＥ）は、繰り返されるシーケンスから構成されるかまたはそれを含む同期信号を監視するための非重複周期間隔のセットを識別し、その間隔を使用して、可能なタイミング構造（たとえば、サブフレーム、スロットなど）境界を識別する。ＵＥは、次いで、第２の同期信号を使用して、可能な境界のうちの１つが境界であると決定する。例えば、ＵＥは、周期間隔に対応する一連の相関期間の各々中に累積的相関を実行する。累積的相関の各々は、シーケンス繰返しに関連する複数のコヒーレント相関を含んでいることがある。ＵＥは、累積的相関から可能な境界を識別し、システムタイミングを決定するために、各可能な境界について、第２の同期信号に基づいて２次相関を実行する。【選択図】図３
2020205603.tif 000002
【特許請求の範囲】
【請求項１】
複数のシーケンス繰返しを備える第１の同期信号を受信することと、
前記複数のシーケンス繰返しに少なくとも部分的に基づいて、タイミング構造境界のための候補のセットを識別することと、
第２の同期信号に少なくとも部分的に基づいて、候補の前記セットから前記タイミング構造境界を決定することとを備える、ワイヤレス通信の方法。
【請求項２】
複数の重複累積間隔を識別することと、
前記複数のうちの各重複累積間隔について、前記第１の同期信号のための累積的相関を実行することと、ここにおいて、候補の前記セットが前記累積的相関に少なくとも部分的に基づく、をさらに備える、請求項１に記載の方法。
【請求項３】
前記累積的相関の各々が、前記複数のシーケンス繰返しに関連する複数のコヒーレント相関を備える、請求項２に記載の方法。
【請求項４】
前記複数のコヒーレント相関が、連続する非重複相関間隔のセットに対応する、請求項３に記載の方法。
【請求項５】
前記累積的相関に少なくとも部分的に基づいて位相オフセットを決定することをさらに備え、ここにおいて、候補の前記セットを識別することが、
前記位相オフセットだけ各重複累積間隔の境界をシフトすることを備える、請求項２に記載の方法。
【請求項６】
候補の前記セットが、前記累積的相関の各々のための大きさに少なくとも部分的に基づいて決定される、請求項２に記載の方法。
【請求項７】
候補の前記セットの各タイミング構造境界について、前記第２の同期信号のための２次相関を実行することをさらに備え、ここにおいて、前記タイミング構造境界が、前記２次相関に少なくとも部分的に基づいて決定される、請求項１に記載の方法。
【請求項８】
前記複数のシーケンス繰返しのうちの各シーケンス繰返しが、同じ擬似ランダム雑音（ＰＮ）シーケンスを備える、請求項１に記載の方法。
【請求項９】
前記第１の同期信号が周期信号を備える、請求項１に記載の方法。
【請求項１０】
前記第１の同期信号が１次同期信号（ＰＳＳ）を備える、請求項１に記載の方法。
【請求項１１】
前記第２の同期信号が非周期信号を備える、請求項１に記載の方法。
【請求項１２】
前記第２の同期信号が２次同期信号（ＳＳＳ）の少なくとも一部分を備える、請求項１に記載の方法。
【請求項１３】
前記第２の同期信号が少なくとも１次同期信号（ＰＳＳ）を備える、請求項１に記載の方法。
【請求項１４】
前記第１の同期信号に少なくとも部分的に基づいてセルグループを識別することと、
前記セルグループと前記第２の同期信号とに少なくとも部分的に基づいてセル識別情報（ＩＤ）を識別することとをさらに備える、請求項１に記載の方法。
【請求項１５】
前記第１の同期信号が、周期波形のセットから選択された周期波形を備え、ここにおいて、前記セルグループが、前記周期波形に少なくとも部分的に基づいて識別される、請求項１４に記載の方法。
【請求項１６】
前記第２の同期信号が、非周期波形のセットから選択された非周期波形を備え、ここにおいて、前記セルＩＤが前記非周期波形に少なくとも部分的に基づく、請求項１４に記載の方法。
【請求項１７】
前記第２の同期信号に少なくとも部分的に基づいてセル識別情報（ＩＤ）を識別することをさらに備え、ここにおいて、前記第１の同期信号が単一周波数ネットワーク信号を備える、請求項１に記載の方法。
【請求項１８】
前記第２の同期信号が、セルＩＤに対応する非周期波形を備え、非周期波形のセットから選択される、請求項１７に記載の方法。
【請求項１９】
第３の同期信号を受信することと、
前記第３の同期信号に少なくとも部分的に基づいてセル識別情報（ＩＤ）を決定することとをさらに備える、請求項１に記載の方法。
【請求項２０】
前記第１の同期信号が単一周波数ネットワーク信号を備え、
前記第２の同期信号が、セルグループに対応する非周期波形を備え、非周期波形の第１のセットから選択され、
前記第３の同期信号が、セルＩＤに対応する非周期波形を備え、非周期波形の第２のセットから選択される、請求項１９に記載の方法。
【請求項２１】
複数のシーケンス繰返しを備える第１の同期信号を送信することと、ここにおいて、前記第１の同期信号が周期波形を備える、
非周期波形を備える第２の同期信号を送信することとを備える、ワイヤレス通信の方法。
【請求項２２】
前記第１の同期信号の前記周期波形が、セルグループに対応し、周期波形のセットから選択され、ここにおいて、前記第２の同期信号の前記非周期波形が、セル識別情報（ＩＤ）に対応し、非周期波形のセットから選択される、請求項２１に記載の方法。
【請求項２３】
前記第１の同期信号の前記周期波形が単一周波数ネットワーク信号を備え、ここにおいて、前記第２の同期信号の前記非周期波形が、セル識別情報（ＩＤ）に対応し、非周期波形のセットから選択される、請求項２１に記載の方法。
【請求項２４】
非周期波形を備える第３の同期信号を送信することをさらに備え、ここにおいて、
前記第１の同期信号の前記周期波形が単一周波数ネットワーク信号を備え、
前記第２の同期信号の前記非周期波形が、セルグループに対応し、非周期波形の第１のセットから選択され、
前記第３の同期信号の前記非周期波形が、セル識別情報（ＩＤ）に対応し、非周期波形の第２のセットから選択される、請求項２１に記載の方法。
【請求項２５】
複数のシーケンス繰返しを備える第１の同期信号を受信するための手段と、
前記複数のシーケンス繰返しに少なくとも部分的に基づいて、タイミング構造境界のための候補のセットを識別するための手段と、
第２の同期信号に少なくとも部分的に基づいて、候補の前記セットから前記タイミング構造境界を決定するための手段とを備える、ワイヤレス通信のための装置。
【請求項２６】
複数の重複累積間隔を識別するための手段と、
前記複数のうちの各重複累積間隔について、前記第１の同期信号のための累積的相関を実行するための手段と、ここにおいて、候補の前記セットが前記累積的相関に少なくとも部分的に基づく、をさらに備える、請求項２５に記載の装置。
【請求項２７】
前記累積的相関の各々が、前記複数のシーケンス繰返しに関連する複数のコヒーレント相関を備える、請求項２６に記載の装置。
【請求項２８】
前記複数のコヒーレント相関が、連続する非重複相関間隔のセットに対応する、請求項２７に記載の装置。
【請求項２９】
前記累積的相関に少なくとも部分的に基づいて位相オフセットを決定するための手段をさらに備え、ここにおいて、候補の前記セットを識別するための前記手段が、
前記位相オフセットだけ各重複累積間隔の境界をシフトするための手段を備える、請求項２６に記載の装置。
【請求項３０】
候補の前記セットを識別するための前記手段が、前記累積的相関の各々のための大きさ上で決定するように動作可能である、請求項２６に記載の装置。
【請求項３１】
候補の前記セットの各タイミング構造境界について、前記第２の同期信号のための２次相関を実行するための手段をさらに備え、ここにおいて、前記タイミング構造境界を決定するための前記手段が、前記２次相関に少なくとも部分的に基づいて前記タイミング構造境界を決定するように動作可能である、請求項２５に記載の装置。
【請求項３２】
前記複数のシーケンス繰返しのうちの各シーケンス繰返しが、同じ擬似ランダム雑音（ＰＮ）シーケンスを備える、請求項２５に記載の装置。
【請求項３３】
前記第１の同期信号が周期信号を備える、請求項２５に記載の装置。
【請求項３４】
前記第１の同期信号が１次同期信号（ＰＳＳ）を備える、請求項２５に記載の装置。
【請求項３５】
前記第２の同期信号が非周期信号を備える、請求項２５に記載の装置。
【請求項３６】
前記第２の同期信号が２次同期信号（ＳＳＳ）の少なくとも一部分を備える、請求項２５に記載の装置。
【請求項３７】
前記第２の同期信号が１次同期信号（ＰＳＳ）の一部分を備える、請求項２５に記載の装置。
【請求項３８】
前記第１の同期信号に少なくとも部分的に基づいてセルグループを識別するための手段と、
前記セルグループと前記第２の同期信号とに少なくとも部分的に基づいてセル識別情報（ＩＤ）を識別するための手段とをさらに備える、請求項２５に記載の装置。
【請求項３９】
前記第１の同期信号が、周期波形のセットから選択された周期波形を備え、ここにおいて、前記セルグループを識別するための前記手段が、前記周期波形に少なくとも部分的に基づいて前記セルグループを識別するように動作可能である、請求項３８に記載の装置。
【請求項４０】
前記第２の同期信号が、非周期波形のセットから選択された非周期波形を備え、ここにおいて、前記セルＩＤを識別するための前記手段が、前記非周期波形に少なくとも部分的に基づいて前記セルＩＤを識別するように動作可能である、請求項３８に記載の装置。
【請求項４１】
前記第２の同期信号に少なくとも部分的に基づいてセル識別情報（ＩＤ）を識別するための手段をさらに備え、ここにおいて、前記第１の同期信号が単一周波数ネットワーク信号を備える、請求項２５に記載の装置。
【請求項４２】
前記第２の同期信号が、セルＩＤに対応する非周期波形を備え、非周期波形のセットから選択される、請求項４１に記載の装置。
【請求項４３】
第３の同期信号を受信するための手段と、
前記第３の同期信号に少なくとも部分的に基づいてセル識別情報（ＩＤ）を決定するための手段とをさらに備える、請求項２５に記載の装置。
【請求項４４】
前記第１の同期信号が単一周波数ネットワーク信号を備え、
前記第２の同期信号が、セルグループに対応する非周期波形を備え、非周期波形の第１のセットから選択され、
前記第３の同期信号が、セルＩＤに対応する非周期波形を備え、非周期波形の第２のセットから選択される、請求項４３に記載の装置。
【請求項４５】
複数のシーケンス繰返しを備える第１の同期信号を送信するための手段と、ここにおいて、前記第１の同期信号が周期波形を備える、
非周期波形を備える第２の同期信号を送信するための手段とを備える、ワイヤレス通信のための装置。
【請求項４６】
前記第１の同期信号の前記周期波形が、セルグループに対応し、周期波形のセットから選択され、ここにおいて、前記第２の同期信号の前記非周期波形が、セル識別情報（ＩＤ）に対応し、非周期波形のセットから選択される、請求項４５に記載の装置。
【請求項４７】
前記第１の同期信号の前記周期波形が単一周波数ネットワーク信号を備え、ここにおいて、前記第２の同期信号の前記非周期波形が、セル識別情報（ＩＤ）に対応し、非周期波形のセットから選択される、請求項４５に記載の装置。
【請求項４８】
非周期波形を備える第３の同期信号を送信するための手段をさらに備え、ここにおいて、
前記第１の同期信号の前記周期波形が単一周波数ネットワーク信号を備え、
前記第２の同期信号の前記非周期波形が、セルグループに対応し、非周期波形の第１のセットから選択され、
前記第３の同期信号の前記非周期波形が、セル識別情報（ＩＤ）に対応し、非周期波形の第２のセットから選択される、請求項４５に記載の装置。
【請求項４９】
ワイヤレス通信のための装置であって、
プロセッサと、
前記プロセッサと電子通信しているメモリと、
前記メモリに記憶され、前記プロセッサによって実行されたとき、前記装置に、
複数のシーケンス繰返しを備える第１の同期信号を受信することと、
前記複数のシーケンス繰返しに少なくとも部分的に基づいて、タイミング構造境界のための候補のセットを識別することと、
第２の同期信号に少なくとも部分的に基づいて、候補の前記セットから前記タイミング構造境界を決定することと
を行わせるように動作可能な命令とを備える、装置。
【請求項５０】
前記命令は、前記装置に、
複数の重複累積間隔を識別することと、
前記複数のうちの各重複累積間隔について、前記第１の同期信号のための累積的相関を実行することと、ここにおいて、候補の前記セットが前記累積的相関に少なくとも部分的に基づく、を行わせるように動作可能である、請求項４９に記載の装置。
【請求項５１】
前記累積的相関の各々が、前記複数のシーケンス繰返しに関連する複数のコヒーレント相関を備える、請求項５０に記載の装置。
【請求項５２】
前記複数のコヒーレント相関が、連続する非重複相関間隔のセットに対応する、請求項５１に記載の装置。
【請求項５３】
前記命令が、前記装置に、
前記累積的相関に少なくとも部分的に基づいて位相オフセットを決定することと、
前記位相オフセットだけ各重複累積間隔の境界をシフトするによって候補の前記セットを識別することとを行わせるように動作可能である、請求項５０に記載の装置。
【請求項５４】
候補の前記セットが、前記累積的相関の各々のための大きさに少なくとも部分的に基づいて決定される、請求項５０に記載の装置。
【請求項５５】
前記命令が、前記装置に、
候補の前記セットの各タイミング構造境界について、前記第２の同期信号のための２次相関を実行することを行わせるように動作可能であり、ここにおいて、前記タイミング構造境界が、前記２次相関に少なくとも部分的に基づいて決定される、請求項４９に記載の装置。
【請求項５６】
前記複数のシーケンス繰返しのうちの各シーケンス繰返しが、同じ擬似ランダム雑音（ＰＮ）シーケンスを備える、請求項４９に記載の装置。
【請求項５７】
前記第１の同期信号が周期信号を備える、請求項４９に記載の装置。
【請求項５８】
前記第１の同期信号が１次同期信号（ＰＳＳ）を備える、請求項４９に記載の装置。
【請求項５９】
前記第２の同期信号が非周期信号を備える、請求項４９に記載の装置。
【請求項６０】
前記第２の同期信号が２次同期信号（ＳＳＳ）の少なくとも一部分を備える、請求項４９に記載の装置。
【請求項６１】
前記第２の同期信号が１次同期信号（ＰＳＳ）の一部分を備える、請求項４９に記載の装置。
【請求項６２】
前記命令が、前記装置に、
前記第１の同期信号に少なくとも部分的に基づいてセルグループを識別することと、
前記セルグループと前記第２の同期信号とに少なくとも部分的に基づいてセル識別情報（ＩＤ）を識別することとを行わせるように動作可能である、請求項４９に記載の装置。
【請求項６３】
前記第１の同期信号が、周期波形のセットから選択された周期波形を備え、ここにおいて、前記セルグループが、前記周期波形に少なくとも部分的に基づいて識別される、請求項６２に記載の装置。
【請求項６４】
前記第２の同期信号が、非周期波形のセットから選択された非周期波形を備え、ここにおいて、前記セルＩＤが前記非周期波形に少なくとも部分的に基づく、請求項６２に記載の装置。
【請求項６５】
前記命令が、前記装置に、
前記第２の同期信号に少なくとも部分的に基づいてセル識別情報（ＩＤ）を識別することを行わせるように動作可能であり、ここにおいて、前記第１の同期信号が単一周波数ネットワーク信号を備える、請求項４９に記載の装置。
【請求項６６】
前記第２の同期信号が、セルＩＤに対応する非周期波形を備え、非周期波形のセットから選択される、請求項６５に記載の装置。
【請求項６７】
前記命令が、前記装置に、
第３の同期信号を受信することと、
前記第３の同期信号に少なくとも部分的に基づいてセル識別情報（ＩＤ）を決定することとを行わせるように動作可能である、請求項４９に記載の装置。
【請求項６８】
前記第１の同期信号が単一周波数ネットワーク信号を備え、
前記第２の同期信号が、セルグループに対応する非周期波形を備え、非周期波形の第１のセットから選択され、
前記第３の同期信号が、セルＩＤに対応する非周期波形を備え、非周期波形の第２のセットから選択される、請求項６７に記載の装置。
【請求項６９】
ワイヤレス通信のための装置であって、
プロセッサと、
前記プロセッサと電子通信しているメモリと、
前記メモリに記憶され、前記プロセッサによって実行されたとき、前記装置に、
複数のシーケンス繰返しを備える第１の同期信号を送信することと、ここにおいて、前記第１の同期信号が周期波形を備える、
非周期波形を備える第２の同期信号を送信することと
を行わせるように動作可能な命令とを備える、装置。
【請求項７０】
前記第１の同期信号の前記周期波形が、セルグループに対応し、周期波形のセットから選択され、ここにおいて、前記第２の同期信号の前記非周期波形が、セル識別情報（ＩＤ）に対応し、非周期波形のセットから選択される、請求項６９に記載の装置。
【請求項７１】
前記第１の同期信号の前記周期波形が単一周波数ネットワーク信号を備え、ここにおいて、前記第２の同期信号の前記非周期波形が、セル識別情報（ＩＤ）に対応し、非周期波形のセットから選択される、請求項６９に記載の装置。
【請求項７２】
前記命令が、前記装置に、
非周期波形を備える第３の同期信号を送信することを行わせるように動作可能であり、ここにおいて、
前記第１の同期信号の前記周期波形が単一周波数ネットワーク信号を備え、
前記第２の同期信号の前記非周期波形が、セルグループに対応し、非周期波形の第１のセットから選択され、
前記第３の同期信号の前記非周期波形が、セル識別情報（ＩＤ）に対応し、非周期波形の第２のセットから選択される、請求項６９に記載の装置。
【請求項７３】
ワイヤレス通信のためのコードを記憶する非一時的コンピュータ可読媒体であって、前記コードが、
複数のシーケンス繰返しを備える第１の同期信号を受信することと、
前記複数のシーケンス繰返しに少なくとも部分的に基づいて、タイミング構造境界のための候補のセットを識別することと、
第２の同期信号に少なくとも部分的に基づいて、候補の前記セットから前記タイミング構造境界を決定することとを行うために実行可能な命令を備える、非一時的コンピュータ可読媒体。
【請求項７４】
ワイヤレス通信のためのコードを記憶する非一時的コンピュータ可読媒体であって、前記コードは、
複数のシーケンス繰返しを備える第１の同期信号を送信することと、ここにおいて、前記第１の同期信号が周期波形を備える、
非周期波形を備える第２の同期信号を送信することとを行うために実行可能な命令を備える、非一時的コンピュータ可読媒体。
【発明の詳細な説明】
【技術分野】
【０００１】
相互参照
[0001]本特許出願は、各々が本出願の譲受人に譲渡された、２０１６年６月１６日に出願された、「System Scanning and Acquisition」と題する、Ｗａｎｇらによる米国特許出願第１５／１８４，９７７号、および２０１５年６月１９日に出願された、「System Scanning and Acquisition」と題する、Ｗａｎｇらによる米国仮特許出願第６２／１８２，３９５号の優先権を主張する。
【背景技術】
【０００２】
[0002]以下は、一般にワイヤレス通信に関し、より詳細には、システム走査および取得 (system scanning and acquisition)に関する。
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかの場合には、ＵＥは、基地局から送られた同期信号を検出することによって、ワイヤレスシステムタイミングおよび情報を検出および取得し得る。これは、ＵＥが、受信された信号と１つまたは複数のあらかじめ定義されたシーケンスとの間の相関を実行することを伴い得る。いくつかの実装形態では、相関は、多数のサンプル期間における、または各可能なサンプル期間におけるサンプリングを伴い得、これは、探索ＵＥによる大いに重複し、比較的複雑な相関を生じ得る。これは、ＵＥにおける過剰な電力消費および計算遅延を生じ得る。
【発明の概要】
【０００５】
[0005]ユーザ機器（ＵＥ）は、各可能な同期信号サンプリング期間におけるサンプリングに対して低減された計算複雑さを有する多段階プロセスを通して、システムタイミングおよび情報を識別し得る。すなわち、ＵＥは、大いに重複する相関なしの走査プロシージャを使用することによって、過大な電力消費、およびしたがってバッテリー消耗を回避し得る。そのようなプロシージャは、比較的短い、繰り返されるシーケンス（すなわち、いくつかの実装形態では、同期信号のために使用されるシーケンスに対して短い、繰り返されるシーケンス）からなる同期信号によって可能にされ得る。ＵＥは、サンプリング間隔を制限し得る、繰り返されるシーケンスのための連続相関（back-to-back correlation）を採用し得る。
【０００６】
[0006]例として、ＵＥは、同期信号を監視するための非重複周期間隔のセットを識別し得る。同期信号は、何回も繰り返されるシーケンスを含むか、またはそれから構成され得る。ＵＥは、周期間隔に対応する一連の相関期間の各々（たとえば、複数の非重複間隔を含んでいる各重複期間）中に累積的相関（cumulative correlation）を実行し得る。したがって、累積的相関の各々は、シーケンス繰返しに関連する複数のコヒーレント相関を含んでいることがある。コヒーレント相関の各々は単一間隔に対応し得る。同期信号の時間期間の推定値に対応し得る累積的相関から、ＵＥは、タイミング構造境界のための候補のセットを識別し得る。ＵＥは、次いで、受信された信号の位相オフセットを決定し得、位相オフセットだけ各重複累積的相関期間の境界をシフトし得る。ＵＥは、システムタイミングを決定するために、タイミング構造境界候補の各々について、第２の同期信号に基づいて２次相関を実行し得る。
【０００７】
[0007]ワイヤレス通信の方法が説明される。本方法は、複数のシーケンス繰返しを含んでいる第１の同期信号を受信することと、複数のシーケンス繰返しに基づいて、タイミング構造境界のための候補のセットを識別することと、第２の同期信号に基づいて、候補のセットからタイミング構造境界を決定することとを含み得る。
【０００８】
[0008]ワイヤレス通信のための装置が説明される。本装置は、複数のシーケンス繰返しを含んでいる第１の同期信号を受信するための手段と、複数のシーケンス繰返しに基づいて、タイミング構造境界のための候補のセットを識別するための手段と、第２の同期信号に基づいて、候補のセットからタイミング構造境界を決定するための手段とを含み得る。
【０００９】
[0009]ワイヤレス通信のためのさらなる装置が説明される。本装置は、プロセッサと、プロセッサと電子通信しているメモリと、メモリに記憶され、プロセッサによって実行されたとき、本装置に、複数のシーケンス繰返しを備える第１の同期信号を受信することと、複数のシーケンス繰返しに基づいて、タイミング構造境界のための候補のセットを識別することと、第２の同期信号に基づいて、候補のセットからタイミング構造境界を決定することとを行わせるように動作可能な命令とを含み得る。
【００１０】
[0010]ワイヤレス通信のためのコードを記憶する非一時的コンピュータ可読媒体が説明される。コードは、複数のシーケンス繰返しの第１の同期信号を受信することと、複数のシーケンス繰返しに基づいて、タイミング構造境界のための候補のセットを識別することと、第２の同期信号に基づいて、候補のセットからタイミング構造境界を決定することとを行うために実行可能な命令を含み得る。
【００１１】
[0011]本明細書で説明される方法、装置、または非一時的コンピュータ可読媒体のいくつかの例は、複数の重複累積間隔（accumulation interval）を識別することと、重複累積間隔の各々について、第１の同期信号のための累積的相関を実行することと、ここで、候補のセットは累積的相関に基づく、を行うためのプロセス、特徴、手段、または命令をさらに含み得る。追加または代替として、いくつかの例では、累積的相関の各々は、シーケンス繰返しに関連するいくつかのコヒーレント相関を含んでいることがある。
【００１２】
[0012]本明細書で説明される方法、装置、または非一時的コンピュータ可読媒体のいくつかの例では、複数のコヒーレント相関は、連続する非重複相関間隔のセットに対応する。追加または代替として、いくつかの例は、累積的相関に基づいて位相オフセットを決定するためのプロセス、特徴、手段、または命令を含み得、候補のセットを識別することは、位相オフセットだけ各重複累積間隔の境界をシフトすることを備える。
【００１３】
[0013]本明細書で説明される方法、装置、または非一時的コンピュータ可読媒体のいくつかの例では、候補のセットは、累積的相関の各々のための大きさに基づいて決定される。追加または代替として、いくつかの例は、タイミング構造境界候補の各々について、第２の同期信号のための２次相関を実行するためのプロセス、特徴、手段、または命令を含み得、ここで、タイミング構造境界は、２次相関に少なくとも部分的に基づいて決定される。
【００１４】
[0014]本明細書で説明される方法、装置、または非一時的コンピュータ可読媒体のいくつかの例では、複数のシーケンス繰返しのうちの各シーケンス繰返しは、同じ擬似ランダム雑音（ＰＮ）シーケンスを備える。追加または代替として、いくつかの例では、第１の同期信号は周期信号であり得る。
【００１５】
[0015]本明細書で説明される方法、装置、または非一時的コンピュータ可読媒体のいくつかの例では、第１の同期信号は１次同期信号（ＰＳＳ）であり得る。追加または代替として、いくつかの例では、第２の同期信号は非周期信号であり得る。
【００１６】
[0016]本明細書で説明される方法、装置、または非一時的コンピュータ可読媒体のいくつかの例では、第２の同期信号は２次同期信号（ＳＳＳ）の少なくとも一部分を含んでいる。追加または代替として、いくつかの例では、第２の同期信号はＰＳＳの一部分を含んでいる。
【００１７】
[0017]本明細書で説明される方法、装置、または非一時的コンピュータ可読媒体のいくつかの例は、第１の同期信号に基づいてセルグループを識別することと、セルグループと第２の同期信号とに基づいてセル識別情報（ＩＤ）を識別することとを行うためのプロセス、特徴、手段、または命令をさらに含み得る。追加または代替として、いくつかの例では、第１の同期信号は、周期波形のセットから選択された周期波形を備え、ここにおいて、セルグループは周期波形に基づいて識別される。
【００１８】
[0018]本明細書で説明される方法、装置、または非一時的コンピュータ可読媒体のいくつかの例では、第２の同期信号は、非周期波形のセットから選択された非周期波形を備え、ここにおいて、セルＩＤは非周期波形に基づく。追加または代替として、いくつかの例は、第２の同期信号に基づいてセルＩＤを識別するためのプロセス、特徴、手段、または命令を含み得、ここにおいて、第１の同期信号はシステムフレーム番号（ＳＦＮ）信号を備える。
【００１９】
[0019]本明細書で説明される方法、装置、または非一時的コンピュータ可読媒体のいくつかの例では、第２の同期信号は、セルＩＤに対応する非周期波形を備え、非周期波形のセットから選択される。追加または代替として、いくつかの例は、第３の同期信号を受信することと、第３の同期信号に基づいてセルＩＤを決定することとを行うためのプロセス、特徴、手段、または命令を含み得る。
【００２０】
[0020]本明細書で説明される方法、装置、または非一時的コンピュータ可読媒体のいくつかの例では、第１の同期信号は単一周波数ネットワーク信号を備え、第２の同期信号は、セルグループに対応する非周期波形を備え、非周期波形の第１のセットから選択され、第３の同期信号は、セルＩＤに対応する非周期波形を備え、非周期波形の第２のセットから選択される。
【００２１】
[0021]ワイヤレス通信のさらなる方法が説明される。本方法は、複数のシーケンス繰返しを備える第１の同期信号を送信することと、ここにおいて、第１の同期は周期波形を備える、非周期波形を備える第２の同期信号を送信することとを含み得る。
【００２２】
[0022]ワイヤレス通信のためのさらなる装置が説明される。本装置は、複数のシーケンス繰返しを備える第１の同期信号を送信するための手段と、ここにおいて、第１の同期は周期波形を備える、非周期波形を備える第２の同期信号を送信するための手段とを含み得る。
【００２３】
[0023]ワイヤレス通信のためのさらなる装置が説明される。本装置は、プロセッサと、プロセッサと電子通信しているメモリと、メモリに記憶され、プロセッサによって実行されたとき、装置に、複数のシーケンス繰返しを含んでいる第１の同期信号を送信することと、ここにおいて、第１の同期は周期波形であり得る、非周期波形の第２の同期信号を送信することとを行わせるように動作可能な命令とを含み得る。
【００２４】
[0024]ワイヤレス通信のためのコードを記憶するさらなる非一時的コンピュータ可読媒体が説明される。コードは、複数のシーケンス繰返しを備える第１の同期信号を送信することと、ここにおいて、第１の同期は周期波形を備える、非周期波形を備える第２の同期信号を送信することとを行うために実行可能な命令を含み得る。
【００２５】
[0025]本明細書で説明される方法、装置、または非一時的コンピュータ可読媒体のいくつかの例では、第１の同期信号の周期波形は、セルグループに対応し、周期波形のセットから選択され、第２の同期信号の非周期波形は、セルＩＤに対応し、非周期波形のセットから選択される。追加または代替として、いくつかの例では、第１の同期信号の周期波形は単一周波数ネットワーク信号を備え、第２の同期信号の非周期波形は、セルＩＤに対応し、非周期波形のセットから選択される。
【００２６】
[0026]本明細書で説明される方法、装置、または非一時的コンピュータ可読媒体のいくつかの例は、非周期波形を備える第３の同期信号を受信するためのプロセス、特徴、手段、または命令をさらに含み得、第１の同期信号の周期波形は単一周波数ネットワーク信号を含んでおり、第２の同期信号の非周期波形は、セルグループに対応し、非周期波形の第１のセットから選択され、第３の同期信号の非周期波形は、セルＩＤに対応し、非周期波形の第２のセットから選択される。
【００２７】
[0027]本開示の態様が、以下の図を参照しながら説明される。
【図面の簡単な説明】
【００２８】
【図１】[0028]本開示の様々な態様による、システム走査および取得をサポートするワイヤレス通信システムの一例を示す図。
【図２】[0029]本開示の様々な態様による、システム走査および取得をサポートするワイヤレス通信システムの一例を示す図。
【図３】[0030]本開示の様々な態様による、システム走査および取得をサポートする相関間隔の一例を示す図。
【図４Ａ】[0031]本開示の様々な態様による、システム走査および取得をサポートする同期信号フォーマットの例を示す図。
【図４Ｂ】本開示の様々な態様による、システム走査および取得をサポートする同期信号フォーマットの例を示す図。
【図５】[0032]本開示の様々な態様による、システム走査および取得をサポートするシステムのためのプロセスフローの一例を示す図。
【図６】[0033]本開示の様々な態様による、システム走査および取得をサポートする１つまたは複数のワイヤレスデバイスのブロック図。
【図７】本開示の様々な態様による、システム走査および取得をサポートする１つまたは複数のワイヤレスデバイスのブロック図。
【図８】本開示の様々な態様による、システム走査および取得をサポートする１つまたは複数のワイヤレスデバイスのブロック図。
【図９】[0034]本開示の様々な態様による、システム走査および取得をサポートする、ユーザ機器（ＵＥ）を含むシステムのブロック図。
【図１０】[0035]本開示の様々な態様による、システム走査および取得をサポートする１つまたは複数のワイヤレスデバイスのブロック図。
【図１１】本開示の様々な態様による、システム走査および取得をサポートする１つまたは複数のワイヤレスデバイスのブロック図。
【図１２】本開示の様々な態様による、システム走査および取得をサポートする１つまたは複数のワイヤレスデバイスのブロック図。
【図１３】[0036]本開示の様々な態様による、システム走査および取得をサポートする、基地局を含むシステムのブロック図。
【図１４】[0037]本開示の様々な態様による、システム走査および取得のための方法を示す図。
【図１５】本開示の様々な態様による、システム走査および取得のための方法を示す図。
【図１６】本開示の様々な態様による、システム走査および取得のための方法を示す図。
【図１７】本開示の様々な態様による、システム走査および取得のための方法を示す図。
【図１８】本開示の様々な態様による、システム走査および取得のための方法を示す図。
【図１９】本開示の様々な態様による、システム走査および取得のための方法を示す図。
【発明を実施するための形態】
【００２９】
[0038]ユーザ機器（ＵＥ）は、（たとえば、電源投入した後に）キャンプオンすべき初期システムを探すとき、（たとえば、現在のサービングシステムのカバレージを出た後に）新しいシステムを探すとき、または新しいエリア（たとえば、新しい国）にローミングするときに好ましいシステムを探すとき、ネットワーク取得プロシージャを実行し得る。システムを探索することは、所与の周波数ラスタ（たとえば、１００ｋＨｚ）において、およびその周波数上のすべての潜在的タイミング位置において、１次同期信号（ＰＳＳ）および２次同期信号（ＳＳＳ）など、基地局によって送信された同期信号を検出することによってフルキャリア周波数走査を実行することを含み得る。同期信号を検出することは、受信された信号と１つまたは複数のあらかじめ定義されたシーケンスとの間の相関を実行することを含み得る。いくつかの場合には、新しい相関が、システムのために定義されたサンプル期間ごとに実行され得る。ＵＥによるそのような大いに重複し、複雑な探索は、過剰な電力消費および計算遅延を生じ得る。相関プロセスの複雑さを低減することによって、より効率的なシステム走査および取得が達成され得る。
【００３０】
[0039]簡略化された同期プロセスが、一定の間隔で繰り返される複数の短いシーケンスから構成された同期信号を使用して実行され得る。繰り返されるシーケンスに基づく同期信号は、ＵＥが、サンプリング期間よりも長い間隔で簡略化された相関を実行することを可能にし得る。各間隔で実行される相関は、一連の累積的、コヒーレントサブ相関を伴い得る。サブ相関は、各間隔中に受信された信号と、同期信号中のあらかじめ定義された繰り返されるシーケンスとの間の比較を伴い得る。サブ相関は、同期シーケンスが繰り返される間隔と整合されないことがある連続する非重複間隔にわたって実行され得る。
【００３１】
[0040]したがって、同期信号（たとえば、ＰＳＳ）のタイミングは周期的であり、同じ短い擬似乱数（ＰＮ）シーケンスのｍ回の繰返しがあり得る。ＵＥは、高速フーリエ変換（ＦＦＴ）を使用して連続相関を実行し得、ｍ個の連続する相関出力をコヒーレントに累積し得、これは、十分な相関を取得するためのサンプルレベル整合の必要を最小限に抑えるかまたはその必要をなくし得る。以下でさらに詳細に説明されるように、ＰＳＳ期間内の相対最大位置が、同期信号のための粗タイミングの推定値として使用され得、循環的にシフトされたＰＮシーケンスに対応し得る。粗タイミングは、次いで、周波数オフセットを推定するために使用され得る。これは、各サンプルレベルにおけるＰＳＳ相関の必要を否定し得、ＰＮ境界の所望の検出を生じ得、探索複雑さを低減し得る。
【００３２】
[0041]粗タイミングの推定に続いて、非周期同期信号（たとえば、ＳＳＳ）が、周期同期信号と非周期同期信号との間の境界（たとえば、システムタイミング構造境界に対応する境界）を決定するために使用され得る。ＵＥ（たとえば、ＵＥのＰＳＳ検出器）は、ＰＮシーケンスの異なる大きさをもつ値として表され得る、周期同期信号の可能な境界を決定し得る。すなわち、著しく大きい大きさをもつ値は、相関を可能にするために使用される潜在的同期タイミング境界を表し得る。以下で説明されるように、このプロセスは、たとえば、ＳＳＳダウン探索とＭ部分相関とを含み得る。このプロセスは、非周期同期信号（たとえば、ＳＳＳ）のための低減された周波数誤差および増加されたコヒーレンス時間を生じ得る。
【００３３】
[0042]いくつかの場合には、連続相関は、様々なワイヤレス通信システムのための異なる構成において使用され得る。一例では、ＰＳＳは、粗タイミングおよび（たとえば、３つのセルグループを表す３つの周期波形からなる）セルグループ情報を与え得る。対応するＳＳＳは、微調整およびセル識別情報（ＩＤ）のために使用され得、（たとえば、いくつかのセルＩＤを表す）セル固有であり得る、複数の非周期波形のうちの１つであり得る。別の例では、粗タイミングは、改善された空間ダイバーシティをもつ単一周波数ネットワーク信号など、１つの周期波形からなるＰＳＳによって与えられ得る。
【００３４】
[0043]他の例では、ＰＳＳは、粗タイミングのＰＳＳ（ＰＳＳ−Ｃ）と改良されたタイミングのＰＳＳ（ＰＳＳ−Ｒ）とにスプリットされ得る。ＰＳＳ−Ｃは、単一周波数ネットワーク信号をもつ１つの特有の周期波形からなり得る。ＰＳＳ−Ｒは、３つのセルグループを表す複数の非周期波形からなり得、３つのブラインド検出を有し得る。そのような場合におけるＳＳＳは、たとえば、複数のセルＩＤを表す複数の非周期波形を有し得、また、複数のブラインド検出に対応し得る。
【００３５】
[0044]本開示の態様が、例示的なワイヤレス通信システムのコンテキストにおいて以下でさらに説明される。次いで、特定の例が、繰り返されるシーケンスに基づく同期信号、ならびにいくつかの代替同期信号フォーマットを使用するシステム取得について説明される。本開示のこれらおよび他の態様は、システム走査および取得に関係する装置図、システム図、およびフローチャートによってさらに示され、それらを参照しながら説明される。
【００３６】
[0045]図１は、本開示の様々な態様による、システム走査および取得をサポートするワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。ワイヤレス通信システム１００は、ＵＥ１１５が、変更されたセル取得プロシージャを実行することによって電力を節約することを可能にし得る。たとえば、基地局１０５は、短い、繰り返されるシーケンスを含む同期信号を送信し得、ＵＥ１１５は、繰り返されるシーケンスに基づいて、簡略化された相関を実行し得る。
【００３７】
[0046]基地局１０５は、１つまたは複数の基地局アンテナを介して、ＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク送信、または基地局１０５からＵＥ１１５へのダウンリンク送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。
【００３８】
[0047]基地局１０５は、コアネットワーク１３０および互いと通信し得る。たとえば、基地局１０５は、バックホールリンク１３２（たとえば、Ｓ１など）を通してコアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５は発展型ノードＢ（ｅＮＢ）１０５と呼ばれることもある。
【００３９】
[0048]いくつかのＵＥ１１５を含む、いくつかのタイプのワイヤレスデバイスは、自動化された通信を提供し得る。自動化されたワイヤレスデバイスは、マシンツーマシン（Ｍ２Ｍ）通信またはマシンタイプ通信（ＭＴＣ）を実装するものを含み得る。Ｍ２ＭまたはＭＴＣは、デバイスが人の介入なしに互いにまたは基地局と通信することを可能にするデータ通信技術を指すことがある。たとえば、Ｍ２ＭまたはＭＴＣは、情報を測定またはキャプチャするためにセンサーまたはメーターを組み込み、情報を利用し得る中央サーバまたはアプリケーションプログラムにその情報を中継するか、あるいはプログラムまたはアプリケーションと対話する人間に情報を提示する、デバイスからの通信を指すことがある。いくつかのＵＥ１１５は、情報を取得するか、または機械の自動化された挙動を可能にするように設計されたものなど、ＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。特に、ＭＴＣデバイスは、それらが、再充電を容易にサポートしない環境において展開され得るので、電力節約技法から恩恵を受け得る。いくつかの場合には、ＭＴＣデバイスは、カバレージ拡張技法、およびバッテリー電力を節約するように設計された技法（たとえば、簡略化された同期プロセス）を利用し得る。さらに、ＭＴＣデバイスは、システム取得およびタイミングに関連する過大な電力消費を制限するために、本明細書で説明される技法を利用し得る。
【００４０】
[0049]ワイヤレスネットワークにアクセスすることを試みるＵＥ１１５は、基地局１０５からのＰＳＳを検出することによって、初期セル探索を実行し得る。ＰＳＳは、スロットタイミングの同期を可能にし得、物理レイヤ識別情報値を示し得る。ＵＥ１１５は、次いで、ＳＳＳを受信し得る。ＳＳＳは、無線フレーム同期を可能にし得、セルを識別するための物理レイヤ識別情報値と組み合わせられ得る、セル識別情報値を与え得る。ＳＳＳはまた、複信モードおよびサイクリックプレフィックス長の検出を可能にし得る。時分割複信（ＴＤＤ）システムなど、いくつかのシステムは、ＰＳＳを送信するが、ＳＳＳを送信しないことがあり、またはその逆も同様である。ＰＳＳとＳＳＳの両方が、それぞれ、キャリアの中心サブキャリア（たとえば、６２個および７２個のサブキャリア）中にあり得る。いくつかの場合には、ＵＥ１１５は、一連の累積的、コヒーレントサブ相関を組み合わせることを含む相関を実行することによって同期信号を取得し得、ここで、サブ相関は、各間隔中に受信された信号と、同期信号中のあらかじめ定義された繰り返されるシーケンスとの間の比較を伴い得る。
【００４１】
[0050]初期セル同期を完了した後、ＵＥ１１５は、マスタ情報ブロック（ＭＩＢ）を受信し得、ＭＩＢを復号し得る。ＭＩＢは、システム帯域幅情報と、システムフレーム番号（ＳＦＮ）と、物理ハイブリッド自動再送要求（ＨＡＲＱ）インジケータチャネル（ＰＨＩＣＨ）構成とを含んでいることがある。ＭＩＢは、物理ブロードキャストチャネル（ＰＢＣＨ）上で送信され得、各無線フレームの第１のサブフレームの第２のスロットの第１の４つの直交周波数分割多元接続（ＯＦＤＭＡ）シンボルを利用し得る。それは、周波数領域中の中間の６つのリソースブロック（７２個のサブキャリア）を使用し得る。ＭＩＢは、リソースブロック単位のダウンリンクチャネル帯域幅、ＰＨＩＣＨ構成（持続時間およびリソース割当て）、およびＳＦＮを含む、ＵＥ初期アクセスのための数個の重要な情報を搬送する。新しいＭＩＢが、第４の無線フレーム（ＳＦＮ  ｍｏｄ  ４＝０）ごとにブロードキャストされ、フレーム（１０ｍｓ）ごとに再ブロードキャストされ得る。各繰返しは、異なるスクランブリングコードを用いてスクランブルされる。ＭＩＢ（新しいバージョンまたはコピーのいずれか）を読み取った後に、ＵＥ１１５は、それが、成功した巡回冗長検査（ＣＲＣ）を得るまで、スクランブリングコードの異なる位相を試み得る。スクランブリングコードの位相（０、１、２または３）は、ＵＥ１１５が、４つの繰返しのうちのどれが受信されたかを識別することを可能にし得る。したがって、ＵＥ１１５は、復号された送信中のＳＦＮを読み取ることと、スクランブリングコード位相を加えることとによって現在のＳＦＮを決定し得る。
【００４２】
[0051]ＭＩＢを復号した後に、ＵＥ１１５は、１つまたは複数のシステム情報ブロック（ＳＩＢ）を受信し得る。たとえば、ＳＩＢ１は、セルアクセスパラメータと他のＳＩＢのためのスケジューリング情報とを含んでいることがある。ＳＩＢ１を復号することは、ＵＥ１１５がＳＩＢ２を受信することを可能にし得る。ＳＩＢ２は、ランダムアクセスチャネル（ＲＡＣＨ）プロシージャと、ページングと、物理アップリンク制御チャネル（ＰＵＣＣＨ）と、物理アップリンク共有チャネル（ＰＵＳＣＨ）と、電力制御と、ＳＲＳと、セル禁止とに関係する無線リソース制御（ＲＲＣ）構成情報を含んでいることがある。したがって、ＵＥ１１５は、ネットワークにアクセスするより前に、ＳＩＢ１およびＳＩＢ２を復号し得る。異なるＳＩＢが、搬送されるシステム情報のタイプに従って定義され得る。新しいＳＩＢ１は、第８のフレーム（ＳＦＮ  ｍｏｄ  ８＝０）ごとの第５のサブフレーム中で送信され、１つおきのフレーム（２０ｍｓ）ごとに再ブロードキャストされ得る。ＳＩＢ１は、セル識別情報を含む、アクセス情報を含み、それは、ＵＥが基地局１０５のセルにキャンプオンすることを可能にされるかどうかを示し得る。ＳＩＢ１はセル選択情報（または、セル選択パラメータ）をも含む。さらに、ＳＩＢ１は、他のＳＩＢのためのスケジューリング情報を含む。ＳＩＢ２は、ＳＩＢ１中の情報に従って動的にスケジュールされ得、共通および共有チャネルに関係するアクセス情報およびパラメータを含む。ＳＩＢ２の周期性は、８つ、１６個、３２個、６４個、１２８個、２５６個または５１２個の無線フレームに設定され得る。
【００４３】
[0052]ＵＥ１１５がＳＩＢ２を復号した後、ＵＥ１１５は、基地局１０５にＲＡＣＨプリアンブルを送信し得る。これは、ＲＡＣＨメッセージ１として知られていることがある。たとえば、ＲＡＣＨプリアンブルは、６４個の所定のシーケンスのセットからランダムに選択され得る。これは、基地局１０５が、システムに同時にアクセスすることを試みる複数のＵＥ１１５間で区別することを可能にし得る。基地局１０５は、アップリンクリソース許可と、タイミングアドバンスと、一時的セル無線ネットワーク一時的識別情報（Ｃ−ＲＮＴＩ）とを与え得るランダムアクセス応答（ＲＡＲ）またはＲＡＣＨメッセージ２で応答し得る。次いで、ＵＥ１１５は、（たとえば、ＵＥ１１５が、同じワイヤレスネットワークに前に接続されていた場合）一時的モバイル加入者識別情報（ＴＭＳＩ）またはランダム識別子とともに、ＲＲＣ接続要求、またはＲＡＣＨメッセージ３を送信し得る。ＲＲＣ接続要求はまた、ＵＥ１１５が、ネットワークに接続している理由（たとえば、緊急事態、シグナリング、データ交換など）を示し得る。基地局１０５は、新しいＣ−ＲＮＴＩを与え得る、ＵＥ１１５に宛てられた、競合解消メッセージ、またはＲＡＣＨメッセージ４で接続要求に応答し得る。ＵＥ１１５が、正しい識別情報をもつ競合解消メッセージを受信した場合、ＵＥ１１５は、ＲＲＣセットアップを進め得る。ＵＥ１１５が競合解消メッセージを受信しない場合（たとえば、別のＵＥ１１５との競合がある場合）、ＵＥ１１５は、新しいＲＡＣＨプリアンブルを送信することによって、ＲＡＣＨプロセスを繰り返し得る。
【００４４】
[0053]本開示によれば、（ＭＴＣデバイスなど）ＵＥ１１５は、同期信号を監視するための非重複周期間隔のセットを識別することによって、システムタイミングおよび情報を走査および取得し得る。同期信号は、何回も繰り返されるシーケンスを含み得る。ＵＥ１１５は、周期間隔に対応する一連の相関期間の各々（たとえば、複数の非重複間隔を含んでいる各重複期間）中に累積的相関を実行し得る。したがって、累積的相関の各々は、シーケンス繰返しに関連する複数のコヒーレント相関を含んでいることがある。コヒーレント相関の各々は単一間隔に対応し得る。（同期信号の時間期間の推定値に対応し得る）累積的相関から、ＵＥ１１５は、タイミング構造境界のための候補のセットを識別し得る。ＵＥは、次いで、受信された信号の位相オフセットを決定し得、位相オフセットだけ各重複累積的相関期間の境界をシフトし得る。ＵＥ１１５は、システムタイミングを決定するために、タイミング構造境界候補の各々について、第２の同期信号に基づいて２次相関を実行し得る。ＵＥ１１５がシステムタイミングを取得すると、それは、システム情報を復号し、システム１００にアクセスすることに進み得る。
【００４５】
[0054]図２は、本開示の様々な態様による、システム走査および取得をサポートするワイヤレス通信システム２００の一例を示す。ワイヤレス通信システム２００は、図１を参照しながら説明されたＵＥ１１５基地局１０５の例であり得る、ＵＥ１１５−ａと基地局１０５−ａとを含み得る。いくつかの場合には、ＵＥ１１５−ａは、変更されたセル取得プロシージャを実行することによって、電力を節約し得る。たとえば、基地局１０５−ａは、繰り返されるシーケンスを含むＰＳＳを送信し得、ＵＥ１１５−ａは、繰り返されるシーケンスに基づいて、簡略化された相関を実行し得る。
【００４６】
[0055]すなわち、ＵＥ１１５−ａは、ＰＳＳおよびＳＳＳなど、同期信号を検出することによって基地局１０５−ａと同期し得る。いくつかの場合には、同期は、受信された信号と１つまたは複数のあらかじめ定義されたシーケンスとの間の相関を実行することを含み得る。いくつかの場合には、新しい相関が、サンプル期間ごとに実行され得るが、これは、ＵＥ１１５−ａによる大いに重複し、比較的複雑な相関を伴い得る。
【００４７】
[0056]したがって、上記で説明された簡略化された同期プロセスが、一定の間隔で繰り返される複数の短いシーケンスから構成された同期信号を使用して実行され得る。繰り返されるシーケンスに基づく同期信号は、ＵＥ１１５−ａが、サンプリング期間よりも長い間隔で簡略化された相関を実行することを可能にし得る。各間隔で実行される相関は、一連の累積的、コヒーレントサブ相関を伴い得る。サブ相関は、各間隔中に受信された信号と、同期信号中のあらかじめ定義された繰り返されるシーケンスとの間の比較を伴い得る。サブ相関は、同期シーケンスが繰り返される間隔と整合されないことがある連続する非重複間隔にわたって実行され得る。
【００４８】
[0057]したがって、同期信号（たとえば、ＰＳＳ）のタイミングは周期的であり、長さＮPN（たとえば、ＮPN＝１２８）の同じ短いＰＮシーケンスのｍ回の繰返しがあり得る。検出器は、ＮPN回のＦＦＴを使用して連続相関を実行し得、ｍ個の連続する相関出力をコヒーレントに累積し得、これは、十分な相関を取得するためのサンプルレベル整合の必要をなくし得る。ＰＳＳ期間内の相対最大位置は、同期信号のための粗タイミングの推定値として使用され得、循環的にシフトされたＰＮシーケンスに対応し得る。粗タイミングは、次いで、周波数オフセットを推定するために使用され得る。これは、各サンプルレベルにおけるＰＳＳ相関の必要を否定し、ＰＮ境界の所望の検出を生じ、探索複雑さを低減し得る。
【００４９】
[0058]粗タイミングの推定に続いて、非周期ＳＳＳは、ＰＳＳ境界を決定するために使用され得る。ＰＳＳ検出器出力は、ＰＮシーケンスの異なる大きさをもつ値として表され得る。著しく大きい大きさをもつ値は、相関を可能にするための潜在的ＳＳＳタイミング位置を表し得る。これは、たとえば、ＳＳＳダウン探索とＭ部分相関とを通して達成され得る。これは、ＳＳＳのための低減された周波数誤差および増加されたコヒーレンス時間を生じ得る。
【００５０】
[0059]いくつかの場合には、連続相関は、様々なワイヤレス通信システムのための異なる構成において使用され得る。一例では、ＰＳＳは、粗タイミングおよび（たとえば、３つのセルグループを表す３つの周期波形からなる）セルグループ情報を与え得る。対応するＳＳＳは、たとえば、微調整およびセルＩＤのために使用され得、（たとえば、１６８個のセルＩＤを表す）セル固有であり得る、１６８個の非周期波形からなり得る。別の例では、粗タイミングは、単一周波数ネットワーク指示を含み得る、１つの周期波形からなるＰＳＳによって与えられ得る。この例では、ＳＳＳは、たとえば、３×１６８個の非周期波形（すなわち、５０４個のセルＩＤを表す）を通して微調整およびセルＩＤを与え得る。第３の例では、ＰＳＳはＰＳＳ−ＣとＰＳＳ−Ｒとにスプリットされ得る。ＰＳＳ−Ｃは、単一周波数ネットワーク信号をもつ１つの特有の周期波形からなり得る。ＰＳＳ−Ｒは、３つのセルグループを表す３つの非周期波形からなり得、３つのブラインド検出を有し得る。この例におけるＳＳＳは、たとえば、１６８個のセルＩＤを表す１６８個の非周期波形を有し得、また、１６８個のブラインド検出に対応し得る。
【００５１】
[0060]図３は、本開示の様々な態様による、システム走査および取得をサポートする相関間隔３００の一例を示す。同期信号および相関間隔３００は、図１〜図２を参照しながら説明されたように、ＵＥ１１５および基地局１０５によって利用され得る。相関間隔３００は、２段システム同期プロセスの第１の段の一部として使用され得る。
【００５２】
[0061]相関間隔３００は、ＰＮシーケンス３１０のいくつかの繰返しを含み得る、同期信号３０５の受信のための時間期間をカバーし得る。同期信号３０５は長さＮPSSを有し得、ＰＮシーケンス３１０は長さＮPNを有し得、ＰＮシーケンス３１０は長さｍＮPNを有し得る（ここで、ｍは繰返し数である）。
【００５３】
[0062]相関間隔３００は、いくつかの非重複コヒーレント相関間隔３２０のを含み得る。重複累積間隔３２５は、各々、シーケンス繰返しに関連するｍ個のコヒーレント相関を含み得る。ローカルタイミング３３０は重複累積間隔３２５の境界を決定し得、累積間隔３２５中に実行される相関は、相関に基づくオフセットと組み合わせられ、システムタイミングのための候補を定義するために使用され得る。
【００５４】
[0063]図４Ａおよび図４Ｂは、本開示の様々な態様による、システム走査および取得をサポートする同期信号フォーマット４０１および４０２の例を示す。同期信号フォーマット４０１および４０２は、２段同期プロセスの第２の段の一部としてＵＥ１１５および基地局１０５によって利用され得る。
【００５５】
[0064]図４Ａに示されているように、ネットワークタイミング信号４０５−ａは、第１の同期信号（たとえば、ＰＳＳ）に対応し得るいくつかのシーケンス繰返し４１０−ａを含み得る。シーケンス繰返し４１０−ａは、周期的であり得、いくつかのＰＮシーケンス４２０−ａを含み得る。ネットワークタイミング信号４０５−ａは、第２の同期信号（たとえば、ＳＳＳ）に対応し得る、サイクリックプレフィックスおよび非周期信号４１５−ａをも含み得る。非周期信号４１５−ａは、第１のシンボル４２５−ａと第２のシンボル４３０−ａとを含み得る。検出器出力４３５−ａは、図３に示されているように、第１の相関段の結果であり得る。それは、複数のタイミング構造境界候補４４０−ａを含み得る。ＵＥ１１５は、非周期信号４１５−ａに基づいて、候補４４０−ａのセットからタイミング構造境界を選択し得る。すなわち、ＵＥ１１５は、候補４４０−ａのセットの各々において開始する間隔中に受信された信号と、非周期信号４１５−ａとの間の相関を実行し、相関のこのセットに基づいてシステムタイミングを選択し得る。
【００５６】
[0065]図４Ｂに示されているように、ネットワークタイミング信号４０５−ｂは、ＰＳＳなど、第１の同期信号の一部分（たとえば、図２を参照しながら説明されたＰＳＳ−Ｃ）に対応し得るいくつかのシーケンス繰返し４１０−ｂを含み得る。シーケンス繰返し４１０−ｂは、周期的であり得、いくつかの繰り返されるＰＮシーケンス４２０−ｂを含み得る。ネットワークタイミング信号４０５−ｂは、第１の同期信号の第２の部分（たとえば、図２を参照しながら説明されたＰＳＳ−Ｒ）に対応し得る非周期信号４４５を含み得る。非周期信号４４５は、第１のシンボル４５０と第２のシンボル４５５とを含み得る。ネットワークタイミング信号４０５−ｂは、第２の同期信号（たとえば、ＳＳＳ）に対応し得、第１のシンボル４２５−ｂと第２のシンボル４３０−ｂとを含み得る非周期信号４１５−ｂをも含み得る。検出器出力４３５−ｂは、図３に示されているように、第１の相関段の結果であり得る。それは、複数のタイミング構造境界候補４４０−ｂを含み得る。ＵＥ１１５は、非周期信号４４５に基づいて、候補４４０−ａのセットからタイミング構造境界を選択し得る。
【００５７】
[0066]図５は、本開示の様々な態様による、システム走査および取得をサポートするシステムのためのプロセスフロー５００の一例を示す。プロセスフロー５００は、図１〜図２を参照しながら説明されたＵＥ１１５および基地局１０５の例であり得る、ＵＥ１１５−ｂと基地局１０５−ｂとを含み得る。
【００５８】
[0067]ステップ５０５において、ＵＥ１１５−ｂは、同期に関連するタイミング間隔を識別し得る。タイミング間隔は、ＵＥ１１５−ｂのローカルクロックによって決定され得る。各間隔の開始は任意であり得るが、各間隔の長さは、ＰＳＳ内の繰り返されるシーケンスの長さに対応し得る。
【００５９】
[0068]ステップ５１０において、第１の同期信号が基地局１０５−ｂからＵＥ１１５−ｂに送られ得、ここで、同期信号は複数のシーケンス繰返しを含み得る。図５の例では、各シーケンス繰返しは同じＰＮシーケンスであり得る。いくつかの場合には、第１の同期信号は、ＰＳＳなど、周期信号であり得る。
【００６０】
[0069]ステップ５１５において、ＵＥ１１５−ｂは、複数のシーケンス繰返しに基づいて、タイミング構造境界のための候補のセットを識別し得る。すなわち、ＵＥ１１５−ｂは、複数の重複累積間隔を識別し得、重複累積間隔の各々について、第１の同期信号に対して累積的相関を実行し得、したがって、候補のセットは累積的相関に基づく。累積的相関の各々は、複数のシーケンス繰返しに関連する複数のコヒーレント相関を含み得る。複数のコヒーレント相関は、連続する非重複相関間隔のセットに対応し得る。いくつかの場合には、候補のセットは、累積的相関の各々のための大きさに基づいて決定され得る。いくつかの事例では、ＵＥ１１５−ｂは、累積的相関に基づいて位相オフセットを決定し得、位相オフセットだけ各重複累積間隔の境界をシフトすることによって候補のセットを識別し得る。
【００６１】
[0070]ステップ５２０において、第２の同期信号が基地局１０５−ｂからＵＥ１１５−ｂに送られ得、ここで、同期信号は非周期信号であり得る。図５の例では、第２の同期信号はＳＳＳ、またはＰＳＳの一部分であり得る。
【００６２】
[0071]ステップ５２５において、ＵＥ１１５−ｂは、第２の同期信号に基づいて、候補のセットからタイミング構造境界を決定し得る。すなわち、ＵＥ１１５−ｂは、タイミング構造境界候補の各々について、第２の同期信号のための２次相関を実行し得、タイミング構造境界は、２次相関に基づいて決定され得る。
【００６３】
[0072]いくつかの例では、ＵＥ１１５−ｂは、第１の同期信号に基づいてセルグループを識別し得、セルグループと第２の同期信号とに基づいてＩＤを識別し得る。いくつかの場合には、第１の同期信号は、周期波形のセットから選択された周期波形であり得、セルグループは周期波形に基づいて識別され得る。いくつかの例では、第２の同期信号は、非周期波形のセットから選択された非周期波形であり得、セルＩＤは非周期波形に基づき得る。いくつかの場合には、ＵＥ１１５−ｂは、第２の同期信号に基づいてセルＩＤを識別し得、ここで、第１の同期信号は単一周波数ネットワークに基づき得る。いくつかの例では、第２の同期信号は、セルＩＤに対応する非周期波形であり得、非周期波形のセットから選択され得る。いくつかの場合には、ＵＥ１１５−ｂは、第３の同期信号を受信し得（たとえば、第２の同期信号がＰＳＳの第２の部分である場合、第３の信号はＳＳＳであり得る）、第３の同期信号に基づいてセルＩＤを決定し得る。いくつかの場合には、第１の同期信号は単一周波数ネットワーク信号であり得、第２の同期信号は、セルグループに対応する非周期波形であり得、非周期波形の第１のセットから選択され得、第３の同期信号は、セルＩＤに対応する非周期波形であり得、非周期波形の第２のセットから選択され得る。
【００６４】
[0073]図６は、本開示の様々な態様による、システム走査および取得をサポートするワイヤレスデバイス６００のブロック図を示す。ワイヤレスデバイス６００は、図１〜図５を参照しながら説明されたＵＥ１１５の態様の一例であり得る。ワイヤレスデバイス６００は、受信機６０５、システム取得モジュール６１０、または送信機６１５を含み得る。ワイヤレスデバイス６００はプロセッサをも含み得る。これらの構成要素の各々は互いと通信していることがある。
【００６５】
[0074]受信機６０５は、パケット、ユーザデータ、または様々な情報チャネルに関連する制御情報（たとえば、制御チャネル、データチャネル、ならびにシステム走査および取得に関係する情報など）などの情報を受信し得る。情報は、システム取得モジュール６１０に、およびワイヤレスデバイス６００の他の構成要素に受け渡され得る。
【００６６】
[0075]システム取得モジュール６１０は、複数のシーケンス繰返しを含む第１の同期信号を受信し、複数のシーケンス繰返しに基づいて、タイミング構造境界のための候補のセットを識別し、第２の同期信号に基づいて、候補のセットからタイミング構造境界を決定し得る。
【００６７】
[0076]送信機６１５は、ワイヤレスデバイス６００の他の構成要素から受信された信号を送信し得る。いくつかの例では、送信機６１５は、トランシーバモジュール中で受信機６０５とコロケートされ得る。送信機６１５は単一のアンテナを含み得るか、またはそれは複数のアンテナを含み得る。
【００６８】
[0077]図７は、本開示の様々な態様による、システム走査および取得をサポートするワイヤレスデバイス７００のブロック図を示す。ワイヤレスデバイス７００は、図１〜図６を参照しながら説明されたワイヤレスデバイス６００またはＵＥ１１５の態様の一例であり得る。ワイヤレスデバイス７００は、受信機６０５−ａ、システム取得モジュール６１０−ａ、または送信機６１５−ａを含み得る。ワイヤレスデバイス７００はプロセッサをも含み得る。これらの構成要素の各々は互いと通信していることがある。システム取得モジュール６１０−ａはまた、第１の同期信号モジュール７０５と、タイミング候補セットモジュール７１０と、タイミング構造境界モジュール７１５とを含み得る。
【００６９】
[0078]受信機６０５−ａは、システム取得モジュール６１０−ａに、およびワイヤレスデバイス７００の他の構成要素に受け渡され得る情報を受信し得る。システム取得モジュール６１０−ａは、図６を参照しながら説明された動作を実行し得る。送信機６１５−ａは、ワイヤレスデバイス７００の他の構成要素から受信された信号を送信し得る。
【００７０】
[0079]第１の同期信号モジュール７０５は、図２〜図５を参照しながら説明されたように、複数のシーケンス繰返しを含む第１の同期信号を受信し得る。いくつかの例では、複数のシーケンス繰返しのうちの各シーケンス繰返しは、同じＰＮシーケンスを含む。いくつかの例では、第１の同期信号は周期信号を含む。いくつかの例では、第１の同期信号はＰＳＳを含む。いくつかの例では、第１の同期信号は単一周波数ネットワーク信号を含む。いくつかの例では、第１の同期信号の周期波形は単一周波数ネットワーク信号を含む。
【００７１】
[0080]タイミング候補セットモジュール７１０は、図２〜図５を参照しながら説明されたように、複数のシーケンス繰返しに基づいて、タイミング構造境界のための候補のセットを識別し得る。タイミング構造境界モジュール７１５は、図２〜図５を参照しながら説明されたように、第２の同期信号に基づいて、候補のセットからタイミング構造境界を決定し得る。
【００７２】
[0081]図８は、本開示の様々な態様による、システム走査および取得をサポートするワイヤレスデバイス６００またはワイヤレスデバイス７００の構成要素であり得るシステム取得モジュール６１０−ｂのブロック図８００を示す。システム取得モジュール６１０−ｂは、図６〜図７を参照しながら説明されたシステム取得モジュール６１０の態様の一例であり得る。システム取得モジュール６１０−ｂは、第１の同期信号モジュール７０５−ａと、タイミング候補セットモジュール７１０−ａと、タイミング構造境界モジュール７１５−ａとを含み得る。これらのモジュールの各々は、図７を参照しながら説明された機能を実行し得る。システム取得モジュール６１０−ｂはまた、累積間隔モジュール８０５と、累積的相関モジュール８１０と、位相オフセットモジュール８１５と、２次相関モジュール８２０と、第２の同期信号８２５と、セルグループ識別８３０と、セルＩＤ識別８３５と、第３の同期信号モジュール８４０とを含み得る。
【００７３】
[0082]累積間隔モジュール８０５は、図２〜図５を参照しながら説明されたように、複数の重複累積間隔を識別し得る。いくつかの例では、候補のセットを識別することは、位相オフセットだけ各重複累積間隔の境界をシフトすることを含む。
【００７４】
[0083]累積的相関モジュール８１０は、図２〜図５を参照しながら説明されたように、重複累積間隔の各々について、第１の同期信号のための累積的相関を実行し得、したがって、候補のセットは累積的相関に基づく。いくつかの例では、累積的相関の各々は、複数のシーケンス繰返しに関連する複数のコヒーレント相関を含む。いくつかの例では、複数のコヒーレント相関は、連続する非重複相関間隔のセットに対応する。いくつかの例では、候補のセットは、累積的相関の各々のための大きさに基づいて決定される。
【００７５】
[0084]位相オフセットモジュール８１５は、図２〜図５を参照しながら説明されたように、累積的相関に基づいて位相オフセットを決定し得る。２次相関モジュール８２０は、図２〜図５を参照しながら説明されたように、タイミング構造境界候補の各々について、第２の同期信号のための２次相関を実行し得、したがって、タイミング構造境界は２次相関に基づいて決定される。
【００７６】
[0085]第２の同期信号８２５は、図２〜図５を参照しながら説明されたように、第２の同期信号が非周期信号を含み得るように構成され得る。いくつかの例では、第２の同期信号はＳＳＳの少なくとも一部分を含む。いくつかの例では、第２の同期信号はＰＳＳの一部分を含む。いくつかの例では、第２の同期信号は、セルグループに対応する非周期波形を含み、非周期波形の第１のセットから選択される。
【００７７】
[0086]セルグループ識別８３０は、図２〜図５を参照しながら説明されたように、第１の同期信号に基づいてセルグループを識別し得る。いくつかの例では、第１の同期信号は、周期波形のセットから選択された周期波形を含み、したがって、セルグループは周期波形に基づいて識別され得る。いくつかの例では、第２の同期信号の非周期波形は、セルグループに対応し、非周期波形の第１のセットから選択され得る。
【００７８】
[0087]セルＩＤ識別８３５は、図２〜図５を参照しながら説明されたように、セルグループと第２の同期信号とに基づいてセルＩＤを識別し得る。いくつかの例では、第２の同期信号は、非周期波形のセットから選択された非周期波形を含み、したがって、セルＩＤは非周期波形に基づき得る。セルＩＤ識別８３５はまた、第２の同期信号に基づいてセルＩＤを識別し得、したがって、第１の同期信号は単一周波数ネットワーク信号を含む。いくつかの例では、第２の同期信号は、セルＩＤに対応する非周期波形を含み、非周期波形のセットから選択され得る。セルＩＤ識別８３５はまた、第３の同期信号に基づいてセルＩＤを決定し得る。いくつかの例では、第２の同期信号の非周期波形は、セルＩＤに対応し、非周期波形のセットから選択され得る。いくつかの例では、第３の同期信号の非周期波形は、セルＩＤに対応し、非周期波形の第２のセットから選択され得る。
【００７９】
[0088]第３の同期信号モジュール８４０は、図２〜図５を参照しながら説明されたように、第３の同期信号を受信し得る。いくつかの例では、第３の同期信号は、セルＩＤに対応する非周期波形を含み、非周期波形の第２のセットから選択される。
【００８０】
[0089]図９は、本開示の様々な態様による、システム走査および取得をサポートするＵＥ１１５を含むシステム９００の図を示す。システム９００は、図１、図２および図６〜図８を参照しながら説明されたワイヤレスデバイス６００、ワイヤレスデバイス７００、またはＵＥ１１５の一例であり得る、ＵＥ１１５−ｃを含み得る。ＵＥ１１５−ｃは、図６〜図８を参照しながら説明されたシステム取得モジュール６１０の一例であり得る、システム取得モジュール９１０を含み得る。いくつかの場合には、ＵＥ１１５−ｃは、本明細書で説明されるＭＴＣ動作（たとえば、「ディープスリープ」モード、カバレージ拡張動作など）を可能にし得る、ＭＴＣモジュール９２５をも含む。ＵＥ１１５−ｃは、通信を送信するための構成要素と通信を受信するための構成要素とを含む、双方向音声およびデータ通信のための構成要素をも含み得る。たとえば、ＵＥ１１５−ｃは基地局１０５−ｃと双方向に通信し得る。
【００８１】
[0090]ＵＥ１１５−ｃは、プロセッサ９０５と、（ソフトウェア（ＳＷ）９２０を含む）メモリ９１５と、トランシーバ９３５と、１つまたは複数のアンテナ９４０とをも含み得、それらの各々は、（たとえば、バス９４５を介して）互いと直接または間接的に通信し得る。トランシーバ９３５は、上記で説明されたように、（１つまたは複数の）アンテナ９４０あるいはワイヤードリンクまたはワイヤレスリンクを介して、１つまたは複数のネットワークと双方向に通信し得る。たとえば、トランシーバ９３５は、基地局１０５または別のＵＥ１１５と双方向に通信し得る。トランシーバ９３５は、パケットを変調し、変調されたパケットを送信のために（１つまたは複数の）アンテナ９４０に与え、（１つまたは複数の）アンテナ９４０から受信されたパケットを復調するためのモデムを含み得る。ＵＥ１１５−ｃは単一のアンテナ９４０を含み得るが、ＵＥ１１５−ｃはまた、複数のワイヤレス送信をコンカレントに送信または受信することが可能な複数のアンテナ９４０を有し得る。
【００８２】
[0091]メモリ９１５は、ランダムアクセスメモリ（ＲＡＭ）および読取り専用メモリ（ＲＯＭ）を含み得る。メモリ９１５は、実行されたとき、プロセッサ９０５に本明細書で説明される様々な機能（たとえば、システム走査および取得など）を実行させる命令を含むコンピュータ可読、コンピュータ実行可能ソフトウェア／ファームウェアコード９２０を記憶し得る。代替的に、ソフトウェア／ファームウェアコード９２０は、プロセッサ９０５によって直接的に実行可能でないことがあるが、（たとえば、コンパイルされ実行されたとき）コンピュータに本明細書で説明される機能を実行させ得る。プロセッサ９０５は、インテリジェントハードウェアデバイス（たとえば、中央処理ユニット（ＣＰＵ）、マイクロコントローラ、特定用途向け集積回路（ＡＳＩＣ）など）を含み得る
[0092]図１０は、本開示の様々な態様による、システム走査および取得をサポートするワイヤレスデバイス１０００のブロック図を示す。ワイヤレスデバイス１０００は、図１〜図９を参照しながら説明された基地局１０５の態様の一例であり得る。ワイヤレスデバイス１０００は、受信機１００５、基地局システム取得モジュール１０１０、または送信機１０１５を含み得る。ワイヤレスデバイス１０００はプロセッサをも含み得る。これらの構成要素の各々は互いと通信していることがある。
【００８３】
[0093]受信機１００５は、パケット、ユーザデータ、または様々な情報チャネルに関連する制御情報（たとえば、制御チャネル、データチャネル、ならびにシステム走査および取得に関係する情報など）などの情報を受信し得る。情報は、基地局システム取得モジュール１０１０に、およびワイヤレスデバイス１０００の他の構成要素に受け渡され得る。
【００８４】
[0094]基地局システム取得モジュール１０１０は、複数のシーケンス繰返しを含む第１の同期信号を送信することと、したがって、第１の同期信号は周期波形を含む、非周期波形を含む第２の同期信号を送信することとを行い得る。
【００８５】
[0095]送信機１０１５は、ワイヤレスデバイス１０００の他の構成要素から受信された信号を送信し得る。いくつかの例では、送信機１０１５は、トランシーバモジュール中で受信機１００５とコロケートされ得る。送信機１０１５は単一のアンテナを含み得るか、またはそれは複数のアンテナを含み得る。
【００８６】
[0096]図１１は、本開示の様々な態様による、システム走査および取得をサポートするワイヤレスデバイス１１００のブロック図を示す。ワイヤレスデバイス１１００は、図１〜図１０を参照しながら説明されたワイヤレスデバイス１０００または基地局１０５の態様の一例であり得る。ワイヤレスデバイス１１００は、受信機１００５−ａ、基地局システム取得モジュール１０１０−ａ、または送信機１０１５−ａを含み得る。ワイヤレスデバイス１１００はプロセッサをも含み得る。これらの構成要素の各々は互いと通信していることがある。基地局システム取得モジュール１０１０−ａは、ＢＳ第１の同期信号モジュール１１０５とＢＳ第２の同期信号モジュール１１１０とをも含み得る。
【００８７】
[0097]受信機１００５−ａは、基地局システム取得モジュール１０１０−ａに、およびワイヤレスデバイス１１００の他の構成要素に受け渡され得る情報を受信し得る。基地局システム取得モジュール１０１０−ａは、図１０を参照しながら説明された動作を実行し得る。送信機１０１５−ａは、ワイヤレスデバイス１１００の他の構成要素から受信された信号を送信し得る。
【００８８】
[0098]ＢＳ第１の同期信号モジュール１１０５は、図２〜図５を参照しながら説明されたように、複数のシーケンス繰返しを含む第１の同期信号を送信し得、したがって、第１の同期信号は周期波形を含む。ＢＳ第２の同期信号モジュール１１１０は、図２〜図５を参照しながら説明されたように、非周期波形を含む第２の同期信号を送信し得る。
【００８９】
[0099]図１２は、本開示の様々な態様による、システム走査および取得をサポートするワイヤレスデバイス１０００またはワイヤレスデバイス１１００の構成要素であり得る基地局システム取得モジュール１０１０−ｂのブロック図１２００を示す。基地局システム取得モジュール１０１０−ｂは、図１０〜図１１を参照しながら説明された基地局システム取得モジュール１０１０の態様の一例であり得る。基地局システム取得モジュール１０１０−ｂは、ＢＳ第１の同期信号モジュール１１０５−ａとＢＳ第２の同期信号モジュール１１１０−ａとを含み得る。これらのモジュールの各々は、図１１を参照しながら説明された機能を実行し得る。基地局システム取得モジュール１０１０−ｂは、ＢＳセルグループ識別モジュール１２０５と、ＢＳセルＩＤ識別モジュール１２１０と、ＢＳ第３の同期信号モジュール１２１５とをも含み得る。
【００９０】
[0100]ＢＳセルグループ識別モジュール１２０５は、図２〜図５を参照しながら説明されたように、第１の同期信号の周期波形が、セルグループに対応し、周期波形のセットから選択され得るように構成され得る。ＢＳセルＩＤ識別モジュール１２１０は、図２〜図５を参照しながら説明されたように、第２の同期信号の非周期波形が、セルＩＤに対応し、非周期波形のセットから選択され得るように構成され得る。ＢＳ第３の同期信号モジュール１２１５は、図２〜図５を参照しながら説明されたように、非周期波形を含む第３の同期信号を送信し得る。
【００９１】
[0101]図１３は、本開示の様々な態様による、システム走査および取得をサポートする基地局１０５を含むシステム１３００の図を示す。システム１３００は、図１、図２、および図１０〜図１２を参照しながら説明されたワイヤレスデバイス１０００、ワイヤレスデバイス１１００、または基地局１０５の一例であり得る、基地局１０５−ｄを含み得る。基地局１０５−ｄは、図１０〜図１２を参照しながら説明された基地局システム取得モジュール１０１０の一例であり得る、基地局システム取得モジュール１３１０を含み得る。基地局１０５−ｄは、通信を送信するための構成要素と通信を受信するための構成要素とを含む、双方向音声およびデータ通信のための構成要素をも含み得る。たとえば、基地局１０５−ｄは、ＵＥ１１５−ｄまたはＵＥ１１５−ｅと双方向に通信し得る。
【００９２】
[0102]いくつかの場合には、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなど、他の基地局１０５と通信し得る。基地局１０５の各々は、同じまたは異なるワイヤレス通信技術を使用してＵＥ１１５と通信し得る。いくつかの場合には、基地局１０５−ｄは、基地局通信モジュール１３２５を利用して１０５−ｅまたは１０５−ｆなどの他の基地局と通信し得る。いくつかの例では、基地局通信モジュール１３２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｄは、コアネットワーク１３０を通して他の基地局と通信し得る。いくつかの場合には、基地局１０５−ｄは、ネットワーク通信モジュール１３３０を通してコアネットワーク１３０と通信し得る。
【００９３】
[0103]基地局１０５−ｄは、プロセッサ１３０５と、（ソフトウェア（ＳＷ）１３２０を含む）メモリ１３１５と、トランシーバ１３３５と、（１つまたは複数の）アンテナ１３４０とを含み得、それらの各々は、（たとえば、バスシステム１３４５を介して）互いと直接または間接的に通信していることがある。トランシーバ１３３５は、（１つまたは複数の）アンテナ１３４０を介して、マルチモードデバイスであり得るＵＥ１１５と双方向に通信するように構成され得る。トランシーバ１３３５（または基地局１０５−ｄの他の構成要素）はまた、アンテナ１３４０を介して、１つまたは複数の他の基地局（図示せず）と双方向に通信するように構成され得る。トランシーバ１３３５は、パケットを変調し、変調されたパケットを送信のためにアンテナ１３４０に与え、アンテナ１３４０から受信されたパケットを復調するように構成されたモデムを含み得る。基地局１０５−ｄは、各々が１つまたは複数の関連するアンテナ１３４０をもつ、複数のトランシーバ１３３５を含み得る。トランシーバは、図１０の組み合わせられた受信機１００５および送信機１０１５の一例であり得る。
【００９４】
[0104]メモリ１３１５はＲＡＭおよびＲＯＭを含み得る。メモリ１３１５は、実行されたとき、プロセッサ１３０５に本明細書で説明される様々な機能（たとえば、システム走査および取得、カバレージ拡張技法を選択すること、呼処理、データベース管理、メッセージルーティングなど）を実行させるように構成された命令を含んでいるコンピュータ可読、コンピュータ実行可能ソフトウェアコード１３２０をも記憶し得る。代替的に、ソフトウェア１３２０は、プロセッサ１３０５によって直接的に実行可能でないことがあるが、たとえば、コンパイルされ実行されたとき、コンピュータに本明細書で説明される機能を実行させるように構成され得る。プロセッサ１３０５は、インテリジェントハードウェアデバイス、たとえば、ＣＰＵ、マイクロコントローラ、ＡＳＩＣなどを含み得る。プロセッサ１３０５は、エンコーダ、キュー処理モジュール、ベースバンドプロセッサ、無線ヘッドコントローラ、デジタル信号プロセッサ（ＤＳＰ）など、様々な専用プロセッサを含み得る。
【００９５】
[0105]基地局通信モジュール１３２５は、他の基地局１０５との通信を管理し得る。いくつかの場合には、通信管理モジュールは、他の基地局１０５と協働してＵＥ１１５との通信を制御するためのコントローラまたはスケジューラを含み得る。たとえば、基地局通信モジュール１３２５は、ビームフォーミングまたはジョイント送信などの様々な干渉緩和技法のためのＵＥ１１５への送信のためのスケジューリングを協調させ得る。
【００９６】
[0106]ワイヤレスデバイス６００、ワイヤレスデバイス７００、システム取得モジュール６１０、システム９００、ワイヤレスデバイス１０００、ワイヤレスデバイス１１００、ＢＳシステム取得モジュール１０１０、またはシステム１３００の構成要素は、ハードウェアで適用可能な機能の一部または全部を実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００９７】
[0107]図１４は、本開示の様々な態様による、システム走査および取得のための方法１４００を示すフローチャートを示す。方法１４００の動作は、図１〜図１３を参照しながら説明されたように、ＵＥ１１５またはそれの構成要素によって実装され得る。たとえば、方法１４００の動作は、図６〜図９を参照しながら説明されたように、システム取得モジュール６１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【００９８】
[0108]ブロック１４０５において、ＵＥ１１５は、図２〜図５を参照しながら説明されたように、複数のシーケンス繰返しを含む（たとえば、それらから構成された）第１の同期信号を受信する。いくつかの例では、ブロック１４０５の動作は、図７を参照しながら説明されたように、第１の同期信号モジュール７０５によって実行され得る。
【００９９】
[0109]ブロック１４１０において、ＵＥ１１５は、図２〜図５を参照しながら説明されたように、複数のシーケンス繰返しに基づいて、タイミング構造境界のための候補のセットを識別する。いくつかの例では、ブロック１４１０の動作は、図７を参照しながら説明されたように、タイミング候補セットモジュール７１０によって実行され得る。
【０１００】
[0110]ブロック１４１５において、ＵＥ１１５は、図２〜図５を参照しながら説明されたように、第２の同期信号に基づいて、候補のセットからタイミング構造境界を決定する。いくつかの例では、ブロック１４１５の動作は、図７を参照しながら説明されたように、タイミング構造境界モジュール７１５によって実行され得る。
【０１０１】
[0111]図１５は、本開示の様々な態様による、システム走査および取得のための方法１５００を示すフローチャートを示す。方法１５００の動作は、図１〜図１３を参照しながら説明されたように、ＵＥ１１５またはそれの構成要素によって実装され得る。たとえば、方法１５００の動作は、図６〜図９を参照しながら説明されたように、システム取得モジュール６１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１５００はまた、図１４の方法１４００の態様を組み込み得る。
【０１０２】
[0112]ブロック１５０５において、ＵＥ１１５は、図２〜図５を参照しながら説明されたように、複数のシーケンス繰返しを含む第１の同期信号を受信する。いくつかの例では、ブロック１５０５の動作は、図７を参照しながら説明されたように、第１の同期信号モジュール７０５によって実行され得る。
【０１０３】
[0113]ブロック１５１０において、ＵＥ１１５は、図２〜図５を参照しながら説明されたように、複数の重複累積間隔を識別し、重複累積間隔の各々について、第１の同期信号のための累積的相関を実行し、ここで、各累積的相関は、シーケンス繰返しのセットに関連する連続する非重複相関間隔のセットに対応するコヒーレント相関のセットを含む。いくつかの例では、ブロック１５１０の動作は、図８を参照しながら説明されたように、累積的相関モジュール８１０によって実行され得る。ブロック１５１５において、ＵＥ１１５は、図２〜図５を参照しながら説明されたように、複数のシーケンス繰返しに基づいて、タイミング構造境界のための候補のセットを識別する。いくつかの例では、ブロック１５１５の動作は、図７を参照しながら説明されたように、タイミング候補セットモジュール７１０によって実行され得る。
【０１０４】
[0114]ブロック１５２０において、ＵＥ１１５は、図２〜図５を参照しながら説明されたように、第２の同期信号に基づいて、候補のセットからタイミング構造境界を決定する。いくつかの例では、ブロック１５２０の動作は、図７を参照しながら説明されたように、タイミング構造境界モジュール７１５によって実行され得る。
【０１０５】
[0115]図１６は、本開示の様々な態様による、システム走査および取得のための方法１６００を示すフローチャートを示す。方法１６００の動作は、図１〜図１３を参照しながら説明されたように、ＵＥ１１５またはそれの構成要素によって実装され得る。たとえば、方法１６００の動作は、図６〜図９を参照しながら説明されたように、システム取得モジュール６１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１６００はまた、図１４〜図１５の方法１４００または１５００の態様を組み込み得る。
【０１０６】
[0116]ブロック１６０５において、ＵＥ１１５は、図２〜図５を参照しながら説明されたように、複数の重複累積間隔（またはそれらのセット）を識別する。いくつかの例では、ブロック１６０５の動作は、図８を参照しながら説明されたように、累積間隔モジュール８０５によって実行され得る。
【０１０７】
[0117]ブロック１６１０において、ＵＥ１１５は、図２〜図５を参照しながら説明されたように、複数のシーケンス繰返し（またはそれらのセット）を含む第１の同期信号を受信する。いくつかの例では、ブロック１６１０の動作は、図７を参照しながら説明されたように、第１の同期信号モジュール７０５によって実行され得る。
【０１０８】
[0118]ブロック１６１５において、ＵＥ１１５は、図２〜図５を参照しながら説明されたように、重複累積間隔の各々について、第１の同期信号のための累積的相関を実行し、したがって、候補のセットは累積的相関に基づく。いくつかの例では、ブロック１６１５の動作は、図８を参照しながら説明されたように、累積的相関モジュール８１０によって実行され得る。
【０１０９】
[0119]ブロック１６２０において、ＵＥ１１５は、図２〜図５を参照しながら説明されたように、累積的相関に基づいて位相オフセットを決定する。いくつかの例では、ブロック１６２０の動作は、図８を参照しながら説明されたように、位相オフセットモジュール８１５によって実行され得る。
【０１１０】
[0120]ブロック１６２５において、ＵＥ１１５は、図２〜図５を参照しながら説明されたように、複数のシーケンス繰返しに基づいて、タイミング構造境界のための候補のセットを識別する。いくつかの場合には、候補のセットを識別することは、位相オフセットだけ各重複累積間隔の境界をシフトすることを含み得る。いくつかの例では、ブロック１６１０の動作は、図７を参照しながら説明されたように、タイミング候補セットモジュール７１０によって実行され得る。
【０１１１】
[0121]ブロック１６３０において、ＵＥ１１５は、図２〜図５を参照しながら説明されたように、第２の同期信号に基づいて、候補のセットからタイミング構造境界を決定する。いくつかの例では、ブロック１６１５の動作は、図７を参照しながら説明されたように、タイミング構造境界モジュール７１５によって実行され得る。
【０１１２】
[0122]図１７は、本開示の様々な態様による、システム走査および取得のための方法１７００を示すフローチャートを示す。方法１７００の動作は、図１〜図１３を参照しながら説明されたように、ＵＥ１１５またはそれの構成要素によって実装され得る。たとえば、方法１７００の動作は、図６〜図９を参照しながら説明されたように、システム取得モジュール６１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１７００はまた、図１４〜図１６の方法１４００、１５００、または１６００の態様を組み込み得る。
【０１１３】
[0123]ブロック１７０５において、ＵＥ１１５は、図２〜図５を参照しながら説明されたように、複数のシーケンス繰返しを含む（または、それらから構成された）第１の同期信号を受信する。いくつかの例では、ブロック１７０５の動作は、図７を参照しながら説明されたように、第１の同期信号モジュール７０５によって実行され得る。
【０１１４】
[0124]ブロック１７１０において、ＵＥ１１５は、図２〜図５を参照しながら説明されたように、複数のシーケンス繰返し（またはそれらのセット）に基づいて、タイミング構造境界のための候補のセットを識別する。いくつかの例では、ブロック１７１０の動作は、図７を参照しながら説明されたように、タイミング候補セットモジュール７１０によって実行され得る。
【０１１５】
[0125]ブロック１７１５において、ＵＥ１１５は、図２〜図５を参照しながら説明されたように、タイミング構造境界候補の各々について、第２の同期信号のための２次相関を実行する。いくつかの例では、ブロック１７１５の動作は、図８を参照しながら説明されたように、２次相関モジュール８２０によって実行され得る。
【０１１６】
[0126]ブロック１７２０において、ＵＥ１１５は、図２〜図５を参照しながら説明されたように、候補のセットからタイミング構造境界を決定し、ここで、タイミング構造境界は、第２の同期信号の２次相関に基づいて決定され得る。いくつかの例では、ブロック１７２０の動作は、図７を参照しながら説明されたように、タイミング構造境界モジュール７１５によって実行され得る。
【０１１７】
[0127]図１８は、本開示の様々な態様による、システム走査および取得のための方法１８００を示すフローチャートを示す。方法１８００の動作は、図１〜図１３を参照しながら説明されたように、基地局１０５またはそれの構成要素によって実装され得る。たとえば、方法１８００の動作は、図１０〜図１３を参照しながら説明されたように、基地局システム取得モジュール１０１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。
【０１１８】
[0128]ブロック１８０５において、基地局１０５は、複数のシーケンス繰返し（またはそれらのセット）から構成された第１の同期信号を送信する。第１の同期信号は、図２〜図５を参照しながら説明されたように、周期波形を有し得る。いくつかの例では、ブロック１８０５の動作は、図１１を参照しながら説明されたように、ＢＳ第１の同期信号モジュール１１０５によって実行され得る。
【０１１９】
[0129]ブロック１８１０において、基地局１０５は、図２〜図５を参照しながら説明されたように、非周期波形を含む第２の同期信号を送信する。いくつかの例では、ブロック１８１０の動作は、図１１を参照しながら説明されたように、ＢＳ第２の同期信号モジュール１１１０によって実行され得る。
【０１２０】
[0130]図１９は、本開示の様々な態様による、システム走査および取得のための方法１９００を示すフローチャートを示す。方法１９００の動作は、図１〜図１３を参照しながら説明されたように、基地局１０５またはそれの構成要素によって実装され得る。たとえば、方法１９００の動作は、図１０〜図１３を参照しながら説明されたように、基地局システム取得モジュール１０１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法１９００はまた、図１８の方法１８００の態様を組み込み得る。
【０１２１】
[0131]ブロック１９０５において、基地局１０５は、複数のシーケンス繰返し（またはそれらのセット）を含む第１の同期信号を送信する。第１の同期信号は、図２〜図５を参照しながら説明されたように、周期波形を有し得る。いくつかの場合には、第１の同期信号の周期波形は、セルグループに対応し、周期波形のセットから選択される。いくつかの例では、ブロック１９０５の動作は、図１１を参照しながら説明されたように、ＢＳ第１の同期信号モジュール１１０５によって実行され得る。
【０１２２】
[0132]ブロック１９１０において、基地局１０５は、図２〜図５を参照しながら説明されたように、非周期波形を有する第２の同期信号を送信する。いくつかの場合には、第２の同期信号の非周期波形は、セルＩＤに対応し、非周期波形のセットから選択される。いくつかの例では、ブロック１９１０の動作は、図１１を参照しながら説明されたように、ＢＳ第２の同期信号モジュール１１１０によって実行され得る。
【０１２３】
[0133]したがって、方法１４００、１５００、１６００、１７００、１８００、および１９００は、システム走査および取得を与え得る。方法１４００、１５００、１６００、１７００、１８００、および１９００は可能な実装形態を表すこと、ならびに動作およびステップは、他の実装形態が可能であるように、並べ替えられるかまたは場合によっては変更され得ることに留意されたい。いくつかの例では、方法１４００、１５００、１６００、１７００、１８００、および１９００のうちの２つまたはそれ以上からの態様が組み合わせられ得る。
【０１２４】
[0134]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【０１２５】
[0135]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ）およびＬＴＥアドバンスト（ＬＴＥ−Ａ：LTE（登録商標）-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１２６】
[0136]本明細書で説明されるそのようなネットワークを含む、ＬＴＥ／ＬＴＥ−Ａネットワークでは、ｅＮＢという用語は、概して、基地局を表すために使用され得る。本明細書で説明される１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１２７】
[0137]基地局は、基地トランシーバ局、無線基地局、アクセスポイント、無線トランシーバ、ノードＢ、ｅノードＢ、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１２８】
[0138]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１２９】
[0139]本明細書で説明される１つまたは複数のワイヤレス通信システム（たとえば、システム１００および２００）は、同期または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【０１３０】
[0140]本明細書で説明されるダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対スペクトルリソースを使用して）またはＴＤＤ動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１３１】
[0141]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１３２】
[0142]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０１３３】
[0143]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３４】
[0144]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１３５】
[0145]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１３６】
[0146]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１３７】
[0147]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2020205603.tif 000003
【図２】
2020205603.tif 000004
【図３】
2020205603.tif 000005
【図４Ａ】
2020205603.tif 000006
【図４Ｂ】
2020205603.tif 000007
【図５】
2020205603.tif 000008
【図６】
2020205603.tif 000009
【図７】
2020205603.tif 000010
【図８】
2020205603.tif 000011
【図９】
2020205603.tif 000012
【図１０】
2020205603.tif 000013
【図１１】
2020205603.tif 000014
【図１２】
2020205603.tif 000015
【図１３】
2020205603.tif 000016
【図１４】
2020205603.tif 000017
【図１５】
2020205603.tif 000018
【図１６】
2020205603.tif 000019
【図１７】
2020205603.tif 000020
【図１８】
2020205603.tif 000021
【図１９】
2020205603.tif 000022
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
複数のシーケンス繰返しを備える第１の同期信号を送信することと、ここにおいて、前記第１の同期信号が周期波形を備える、
非周期波形を備える第２の同期信号を送信することとを備える、ワイヤレス通信の方法。
【請求項２】
前記第１の同期信号の前記周期波形が、セルグループに対応し、周期波形のセットから選択され、ここにおいて、前記第２の同期信号の前記非周期波形が、セル識別情報（ＩＤ）に対応し、非周期波形のセットから選択される、請求項１に記載の方法。
【請求項３】
前記第１の同期信号の前記周期波形が単一周波数ネットワーク信号を備え、ここにおいて、前記第２の同期信号の前記非周期波形が、セル識別情報（ＩＤ）に対応し、非周期波形のセットから選択される、請求項１に記載の方法。
【請求項４】
非周期波形を備える第３の同期信号を送信することをさらに備え、ここにおいて、
前記第１の同期信号の前記周期波形が単一周波数ネットワーク信号を備え、
前記第２の同期信号の前記非周期波形が、セルグループに対応し、非周期波形の第１のセットから選択され、
前記第３の同期信号の前記非周期波形が、セル識別情報（ＩＤ）に対応し、非周期波形の第２のセットから選択される、請求項１に記載の方法。
【手続補正２】
【補正対象書類名】明細書
【補正対象項目名】０１３７
【補正方法】変更
【補正の内容】
【０１３７】
[0147]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
[Ｃ１］
複数のシーケンス繰返しを備える第１の同期信号を受信することと、
前記複数のシーケンス繰返しに少なくとも部分的に基づいて、タイミング構造境界のための候補のセットを識別することと、
第２の同期信号に少なくとも部分的に基づいて、候補の前記セットから前記タイミング構造境界を決定することとを備える、ワイヤレス通信の方法。
[Ｃ２］
複数の重複累積間隔を識別することと、
前記複数のうちの各重複累積間隔について、前記第１の同期信号のための累積的相関を実行することと、ここにおいて、候補の前記セットが前記累積的相関に少なくとも部分的に基づく、をさらに備える、Ｃ１に記載の方法。
[Ｃ３］
前記累積的相関の各々が、前記複数のシーケンス繰返しに関連する複数のコヒーレント相関を備える、Ｃ２に記載の方法。
[Ｃ４］
前記複数のコヒーレント相関が、連続する非重複相関間隔のセットに対応する、Ｃ３に記載の方法。
[Ｃ５］
前記累積的相関に少なくとも部分的に基づいて位相オフセットを決定することをさらに備え、ここにおいて、候補の前記セットを識別することが、
前記位相オフセットだけ各重複累積間隔の境界をシフトすることを備える、Ｃ２に記載の方法。
[Ｃ６］
候補の前記セットが、前記累積的相関の各々のための大きさに少なくとも部分的に基づいて決定される、Ｃ２に記載の方法。
[Ｃ７］
候補の前記セットの各タイミング構造境界について、前記第２の同期信号のための２次相関を実行することをさらに備え、ここにおいて、前記タイミング構造境界が、前記２次相関に少なくとも部分的に基づいて決定される、Ｃ１に記載の方法。
[Ｃ８］
前記複数のシーケンス繰返しのうちの各シーケンス繰返しが、同じ擬似ランダム雑音（ＰＮ）シーケンスを備える、Ｃ１に記載の方法。
[Ｃ９］
前記第１の同期信号が周期信号を備える、Ｃ１に記載の方法。
[Ｃ１０］
前記第１の同期信号が１次同期信号（ＰＳＳ）を備える、Ｃ１に記載の方法。
[Ｃ１１］
前記第２の同期信号が非周期信号を備える、Ｃ１に記載の方法。
[Ｃ１２］
前記第２の同期信号が２次同期信号（ＳＳＳ）の少なくとも一部分を備える、Ｃ１に記載の方法。
[Ｃ１３］
前記第２の同期信号が少なくとも１次同期信号（ＰＳＳ）を備える、Ｃ１に記載の方法。
[Ｃ１４］
前記第１の同期信号に少なくとも部分的に基づいてセルグループを識別することと、
前記セルグループと前記第２の同期信号とに少なくとも部分的に基づいてセル識別情報（ＩＤ）を識別することとをさらに備える、Ｃ１に記載の方法。
[Ｃ１５］
前記第１の同期信号が、周期波形のセットから選択された周期波形を備え、ここにおいて、前記セルグループが、前記周期波形に少なくとも部分的に基づいて識別される、Ｃ１４に記載の方法。
[Ｃ１６］
前記第２の同期信号が、非周期波形のセットから選択された非周期波形を備え、ここにおいて、前記セルＩＤが前記非周期波形に少なくとも部分的に基づく、Ｃ１４に記載の方法。
[Ｃ１７］
前記第２の同期信号に少なくとも部分的に基づいてセル識別情報（ＩＤ）を識別することをさらに備え、ここにおいて、前記第１の同期信号が単一周波数ネットワーク信号を備える、Ｃ１に記載の方法。
[Ｃ１８］
前記第２の同期信号が、セルＩＤに対応する非周期波形を備え、非周期波形のセットから選択される、Ｃ１７に記載の方法。
[Ｃ１９］
第３の同期信号を受信することと、
前記第３の同期信号に少なくとも部分的に基づいてセル識別情報（ＩＤ）を決定することとをさらに備える、Ｃ１に記載の方法。
[Ｃ２０］
前記第１の同期信号が単一周波数ネットワーク信号を備え、
前記第２の同期信号が、セルグループに対応する非周期波形を備え、非周期波形の第１のセットから選択され、
前記第３の同期信号が、セルＩＤに対応する非周期波形を備え、非周期波形の第２のセットから選択される、Ｃ１９に記載の方法。
[Ｃ２１］
複数のシーケンス繰返しを備える第１の同期信号を送信することと、ここにおいて、前記第１の同期信号が周期波形を備える、
非周期波形を備える第２の同期信号を送信することとを備える、ワイヤレス通信の方法。
[Ｃ２２］
前記第１の同期信号の前記周期波形が、セルグループに対応し、周期波形のセットから選択され、ここにおいて、前記第２の同期信号の前記非周期波形が、セル識別情報（ＩＤ）に対応し、非周期波形のセットから選択される、Ｃ２１に記載の方法。
[Ｃ２３］
前記第１の同期信号の前記周期波形が単一周波数ネットワーク信号を備え、ここにおいて、前記第２の同期信号の前記非周期波形が、セル識別情報（ＩＤ）に対応し、非周期波形のセットから選択される、Ｃ２１に記載の方法。
[Ｃ２４］
非周期波形を備える第３の同期信号を送信することをさらに備え、ここにおいて、
前記第１の同期信号の前記周期波形が単一周波数ネットワーク信号を備え、
前記第２の同期信号の前記非周期波形が、セルグループに対応し、非周期波形の第１のセットから選択され、
前記第３の同期信号の前記非周期波形が、セル識別情報（ＩＤ）に対応し、非周期波形の第２のセットから選択される、Ｃ２１に記載の方法。
[Ｃ２５］
複数のシーケンス繰返しを備える第１の同期信号を受信するための手段と、
前記複数のシーケンス繰返しに少なくとも部分的に基づいて、タイミング構造境界のための候補のセットを識別するための手段と、
第２の同期信号に少なくとも部分的に基づいて、候補の前記セットから前記タイミング構造境界を決定するための手段とを備える、ワイヤレス通信のための装置。
[Ｃ２６］
複数の重複累積間隔を識別するための手段と、
前記複数のうちの各重複累積間隔について、前記第１の同期信号のための累積的相関を実行するための手段と、ここにおいて、候補の前記セットが前記累積的相関に少なくとも部分的に基づく、をさらに備える、Ｃ２５に記載の装置。
[Ｃ２７］
前記累積的相関の各々が、前記複数のシーケンス繰返しに関連する複数のコヒーレント相関を備える、Ｃ２６に記載の装置。
[Ｃ２８］
前記複数のコヒーレント相関が、連続する非重複相関間隔のセットに対応する、Ｃ２７に記載の装置。
[Ｃ２９］
前記累積的相関に少なくとも部分的に基づいて位相オフセットを決定するための手段をさらに備え、ここにおいて、候補の前記セットを識別するための前記手段が、
前記位相オフセットだけ各重複累積間隔の境界をシフトするための手段を備える、Ｃ２６に記載の装置。
[Ｃ３０］
候補の前記セットを識別するための前記手段が、前記累積的相関の各々のための大きさ上で決定するように動作可能である、Ｃ２６に記載の装置。
[Ｃ３１］
候補の前記セットの各タイミング構造境界について、前記第２の同期信号のための２次相関を実行するための手段をさらに備え、ここにおいて、前記タイミング構造境界を決定するための前記手段が、前記２次相関に少なくとも部分的に基づいて前記タイミング構造境界を決定するように動作可能である、Ｃ２５に記載の装置。
[Ｃ３２］
前記複数のシーケンス繰返しのうちの各シーケンス繰返しが、同じ擬似ランダム雑音（ＰＮ）シーケンスを備える、Ｃ２５に記載の装置。
[Ｃ３３］
前記第１の同期信号が周期信号を備える、Ｃ２５に記載の装置。
[Ｃ３４］
前記第１の同期信号が１次同期信号（ＰＳＳ）を備える、Ｃ２５に記載の装置。
[Ｃ３５］
前記第２の同期信号が非周期信号を備える、Ｃ２５に記載の装置。
[Ｃ３６］
前記第２の同期信号が２次同期信号（ＳＳＳ）の少なくとも一部分を備える、Ｃ２５に記載の装置。
[Ｃ３７］
前記第２の同期信号が１次同期信号（ＰＳＳ）の一部分を備える、Ｃ２５に記載の装置。
[Ｃ３８］
前記第１の同期信号に少なくとも部分的に基づいてセルグループを識別するための手段と、
前記セルグループと前記第２の同期信号とに少なくとも部分的に基づいてセル識別情報（ＩＤ）を識別するための手段とをさらに備える、Ｃ２５に記載の装置。
[Ｃ３９］
前記第１の同期信号が、周期波形のセットから選択された周期波形を備え、ここにおいて、前記セルグループを識別するための前記手段が、前記周期波形に少なくとも部分的に基づいて前記セルグループを識別するように動作可能である、Ｃ３８に記載の装置。
[Ｃ４０］
前記第２の同期信号が、非周期波形のセットから選択された非周期波形を備え、ここにおいて、前記セルＩＤを識別するための前記手段が、前記非周期波形に少なくとも部分的に基づいて前記セルＩＤを識別するように動作可能である、Ｃ３８に記載の装置。
[Ｃ４１］
前記第２の同期信号に少なくとも部分的に基づいてセル識別情報（ＩＤ）を識別するための手段をさらに備え、ここにおいて、前記第１の同期信号が単一周波数ネットワーク信号を備える、Ｃ２５に記載の装置。
[Ｃ４２］
前記第２の同期信号が、セルＩＤに対応する非周期波形を備え、非周期波形のセットから選択される、Ｃ４１に記載の装置。
[Ｃ４３］
第３の同期信号を受信するための手段と、
前記第３の同期信号に少なくとも部分的に基づいてセル識別情報（ＩＤ）を決定するための手段とをさらに備える、Ｃ２５に記載の装置。
[Ｃ４４］
前記第１の同期信号が単一周波数ネットワーク信号を備え、
前記第２の同期信号が、セルグループに対応する非周期波形を備え、非周期波形の第１のセットから選択され、
前記第３の同期信号が、セルＩＤに対応する非周期波形を備え、非周期波形の第２のセットから選択される、Ｃ４３に記載の装置。
[Ｃ４５］
複数のシーケンス繰返しを備える第１の同期信号を送信するための手段と、ここにおいて、前記第１の同期信号が周期波形を備える、
非周期波形を備える第２の同期信号を送信するための手段とを備える、ワイヤレス通信のための装置。
[Ｃ４６］
前記第１の同期信号の前記周期波形が、セルグループに対応し、周期波形のセットから選択され、ここにおいて、前記第２の同期信号の前記非周期波形が、セル識別情報（ＩＤ）に対応し、非周期波形のセットから選択される、Ｃ４５に記載の装置。
[Ｃ４７］
前記第１の同期信号の前記周期波形が単一周波数ネットワーク信号を備え、ここにおいて、前記第２の同期信号の前記非周期波形が、セル識別情報（ＩＤ）に対応し、非周期波形のセットから選択される、Ｃ４５に記載の装置。
[Ｃ４８］
非周期波形を備える第３の同期信号を送信するための手段をさらに備え、ここにおいて、
前記第１の同期信号の前記周期波形が単一周波数ネットワーク信号を備え、
前記第２の同期信号の前記非周期波形が、セルグループに対応し、非周期波形の第１のセットから選択され、
前記第３の同期信号の前記非周期波形が、セル識別情報（ＩＤ）に対応し、非周期波形の第２のセットから選択される、Ｃ４５に記載の装置。
[Ｃ４９］
ワイヤレス通信のための装置であって、
プロセッサと、
前記プロセッサと電子通信しているメモリと、
前記メモリに記憶され、前記プロセッサによって実行されたとき、前記装置に、
複数のシーケンス繰返しを備える第１の同期信号を受信することと、
前記複数のシーケンス繰返しに少なくとも部分的に基づいて、タイミング構造境界のための候補のセットを識別することと、
第２の同期信号に少なくとも部分的に基づいて、候補の前記セットから前記タイミング構造境界を決定することと
を行わせるように動作可能な命令とを備える、装置。
[Ｃ５０］
前記命令は、前記装置に、
複数の重複累積間隔を識別することと、
前記複数のうちの各重複累積間隔について、前記第１の同期信号のための累積的相関を実行することと、ここにおいて、候補の前記セットが前記累積的相関に少なくとも部分的に基づく、を行わせるように動作可能である、Ｃ４９に記載の装置。
[Ｃ５１］
前記累積的相関の各々が、前記複数のシーケンス繰返しに関連する複数のコヒーレント相関を備える、Ｃ５０に記載の装置。
[Ｃ５２］
前記複数のコヒーレント相関が、連続する非重複相関間隔のセットに対応する、Ｃ５１に記載の装置。
[Ｃ５３］
前記命令が、前記装置に、
前記累積的相関に少なくとも部分的に基づいて位相オフセットを決定することと、
前記位相オフセットだけ各重複累積間隔の境界をシフトするによって候補の前記セットを識別することとを行わせるように動作可能である、Ｃ５０に記載の装置。
[Ｃ５４］
候補の前記セットが、前記累積的相関の各々のための大きさに少なくとも部分的に基づいて決定される、Ｃ５０に記載の装置。
[Ｃ５５］
前記命令が、前記装置に、
候補の前記セットの各タイミング構造境界について、前記第２の同期信号のための２次相関を実行することを行わせるように動作可能であり、ここにおいて、前記タイミング構造境界が、前記２次相関に少なくとも部分的に基づいて決定される、Ｃ４９に記載の装置。
[Ｃ５６］
前記複数のシーケンス繰返しのうちの各シーケンス繰返しが、同じ擬似ランダム雑音（ＰＮ）シーケンスを備える、Ｃ４９に記載の装置。
[Ｃ５７］
前記第１の同期信号が周期信号を備える、Ｃ４９に記載の装置。
[Ｃ５８］
前記第１の同期信号が１次同期信号（ＰＳＳ）を備える、Ｃ４９に記載の装置。
[Ｃ５９］
前記第２の同期信号が非周期信号を備える、Ｃ４９に記載の装置。
[Ｃ６０］
前記第２の同期信号が２次同期信号（ＳＳＳ）の少なくとも一部分を備える、Ｃ４９に記載の装置。
[Ｃ６１］
前記第２の同期信号が１次同期信号（ＰＳＳ）の一部分を備える、Ｃ４９に記載の装置。
[Ｃ６２］
前記命令が、前記装置に、
前記第１の同期信号に少なくとも部分的に基づいてセルグループを識別することと、
前記セルグループと前記第２の同期信号とに少なくとも部分的に基づいてセル識別情報（ＩＤ）を識別することとを行わせるように動作可能である、Ｃ４９に記載の装置。
[Ｃ６３］
前記第１の同期信号が、周期波形のセットから選択された周期波形を備え、ここにおいて、前記セルグループが、前記周期波形に少なくとも部分的に基づいて識別される、Ｃ６２に記載の装置。
[Ｃ６４］
前記第２の同期信号が、非周期波形のセットから選択された非周期波形を備え、ここにおいて、前記セルＩＤが前記非周期波形に少なくとも部分的に基づく、Ｃ６２に記載の装置。
[Ｃ６５］
前記命令が、前記装置に、
前記第２の同期信号に少なくとも部分的に基づいてセル識別情報（ＩＤ）を識別することを行わせるように動作可能であり、ここにおいて、前記第１の同期信号が単一周波数ネットワーク信号を備える、Ｃ４９に記載の装置。
[Ｃ６６］
前記第２の同期信号が、セルＩＤに対応する非周期波形を備え、非周期波形のセットから選択される、Ｃ６５に記載の装置。
[Ｃ６７］
前記命令が、前記装置に、
第３の同期信号を受信することと、
前記第３の同期信号に少なくとも部分的に基づいてセル識別情報（ＩＤ）を決定することとを行わせるように動作可能である、Ｃ４９に記載の装置。
[Ｃ６８］
前記第１の同期信号が単一周波数ネットワーク信号を備え、
前記第２の同期信号が、セルグループに対応する非周期波形を備え、非周期波形の第１のセットから選択され、
前記第３の同期信号が、セルＩＤに対応する非周期波形を備え、非周期波形の第２のセットから選択される、Ｃ６７に記載の装置。
[Ｃ６９］
ワイヤレス通信のための装置であって、
プロセッサと、
前記プロセッサと電子通信しているメモリと、
前記メモリに記憶され、前記プロセッサによって実行されたとき、前記装置に、
複数のシーケンス繰返しを備える第１の同期信号を送信することと、ここにおいて、前記第１の同期信号が周期波形を備える、
非周期波形を備える第２の同期信号を送信することと
を行わせるように動作可能な命令とを備える、装置。
[Ｃ７０］
前記第１の同期信号の前記周期波形が、セルグループに対応し、周期波形のセットから選択され、ここにおいて、前記第２の同期信号の前記非周期波形が、セル識別情報（ＩＤ）に対応し、非周期波形のセットから選択される、Ｃ６９に記載の装置。
[Ｃ７１］
前記第１の同期信号の前記周期波形が単一周波数ネットワーク信号を備え、ここにおいて、前記第２の同期信号の前記非周期波形が、セル識別情報（ＩＤ）に対応し、非周期波形のセットから選択される、Ｃ６９に記載の装置。
[Ｃ７２］
前記命令が、前記装置に、
非周期波形を備える第３の同期信号を送信することを行わせるように動作可能であり、ここにおいて、
前記第１の同期信号の前記周期波形が単一周波数ネットワーク信号を備え、
前記第２の同期信号の前記非周期波形が、セルグループに対応し、非周期波形の第１のセットから選択され、
前記第３の同期信号の前記非周期波形が、セル識別情報（ＩＤ）に対応し、非周期波形の第２のセットから選択される、Ｃ６９に記載の装置。
[Ｃ７３］
ワイヤレス通信のためのコードを記憶する非一時的コンピュータ可読媒体であって、前記コードが、
複数のシーケンス繰返しを備える第１の同期信号を受信することと、
前記複数のシーケンス繰返しに少なくとも部分的に基づいて、タイミング構造境界のための候補のセットを識別することと、
第２の同期信号に少なくとも部分的に基づいて、候補の前記セットから前記タイミング構造境界を決定することとを行うために実行可能な命令を備える、非一時的コンピュータ可読媒体。
[Ｃ７４］
ワイヤレス通信のためのコードを記憶する非一時的コンピュータ可読媒体であって、前記コードは、
複数のシーケンス繰返しを備える第１の同期信号を送信することと、ここにおいて、前記第１の同期信号が周期波形を備える、
非周期波形を備える第２の同期信号を送信することとを行うために実行可能な命令を備える、非一時的コンピュータ可読媒体。
【外国語明細書】
2020205603000001.pdf